(57)【要約】【課題】  フォーカスコイル及びトラッキングコイルに対して形成される磁界の強さの変化を低減し、不要共振を低減する。【解決手段】  対物レンズ２１，２２が取り付けられ、フォーカス方向Ｆと、トラッキング方向Ｔとに移動されるレンズホルダ２と、レンズホルダ２をフォーカス方向Ｆ及びトラッキング方向Ｔに移動可能に支持する支持体３と、レンズホルダ２に対してタンジェンシャル方向Ｔｚに対向して配置され、第１乃至第６の分割領域を有する第１のマグネット１３と、レンズホルダ２に対してタンジェンシャル方向Ｔｚに対向して配置され、第７乃至第１２の分割領域を有する第２のマグネット１４と、レンズホルダ２に設けられ、所定の分割領域に対応してトラッキング方向に駆動力を発生させる複数のトラッキングコイル１１ａ〜１１ｄと、レンズホルダ２に設けられ、所定の分割領域に対応してフォーカス方向に駆動力を発生させる複数のフォーカスコイル１２ａ，１２ｂとを備える。【選択図】  図２
2007149310.tif 000002
【特許請求の範囲】
【請求項１】
対物レンズが取り付けられ、上記対物レンズの光軸と平行なフォーカス方向と、上記対物レンズの光軸方向と直交するトラッキング方向とに移動されるレンズホルダと、
上記レンズホルダを上記フォーカス方向及び上記トラッキング方向に移動可能に支持する支持部と、
上記レンズホルダに対して上記フォーカス方向及び上記トラッキング方向に直交する上記タンジェンシャル方向に対向して配置され、それぞれ磁化方向を上記タンジェンシャル方向のいずれか一方に向けて着磁された第１乃至第６の分割領域を有する第１のマグネットと、
上記レンズホルダに対して上記第１のマグネットと反対側に上記タンジェンシャル方向に対向して配置され、それぞれ磁化方向を上記タンジェンシャル方向のいずれか一方に向けて着磁された第７乃至第１２の分割領域を有する第２のマグネットとを備え、
上記第１の分割領域の上記トラッキング方向の両側に隣接して配置される上記第２及び第３の分割領域が上記第１の分割領域と反対方向に着磁され、
上記第１の分割領域の上記フォーカス方向に隣接して配置される上記第４の分割領域が上記第１の分割領域と反対方向に着磁され、
上記第４の分割領域の上記トラッキング方向の両側に隣接して配置される上記第５及び第６の分割領域が上記第４の分割領域と反対方向に着磁され、
上記第７の分割領域の上記トラッキング方向の両側に隣接して配置される上記第８及び第９の分割領域が上記第７の分割領域と反対方向に着磁され、
上記第７の分割領域の上記フォーカス方向に隣接して配置される上記第１０の分割領域が上記第７の分割領域と反対方向に着磁され、
上記第１０の分割領域の上記トラッキング方向の両側に隣接して配置される上記第１１及び第１２の分割領域が上記第１０の分割領域と反対方向に着磁され、
上記レンズホルダには、
上記第１のマグネットの上記第１及び第２の分割領域と、上記第１のマグネットの上記第１及び第３の分割領域と、上記第２のマグネットの上記第７及び第８の分割領域と、上記第２のマグネットの上記第７及び第９の分割領域とにそれぞれ対応して上記トラッキング方向に駆動力を発生させる４箇所に設けられたトラッキングコイルと、
上記第１のマグネットの上記第１及び第４の分割領域と、上記第２のマグネットの上記第７及び第１０の分割領域とにそれぞれ対応して上記フォーカス方向に駆動力を発生させる２箇所に設けられたフォーカスコイルとが設けられる光ピックアップ。
【請求項２】
上記第１及び第２のマグネットの少なくとも一方は、他方に対向する内面側の上記トラッキング方向の両端にテーパ部を有する請求項１記載の光ピックアップ。
【請求項３】
上記第１及び第２のマグネットの少なくとも一方は、他方に対向する内面側の上記フォーカス方向の両端にテーパ部を有する請求項２記載の光ピックアップ。
【請求項４】
上記第１の分割領域は、上記フォーカス方向の一端側又は他端側の部分の上記トラッキング方向の寸法が徐々に拡大又は縮小されるように形成されている請求項１記載の光ピックアップ。
【請求項５】
上記第７の分割領域は、上記フォーカス方向の一端側又は他端側の部分の上記トラッキング方向の寸法が徐々に拡大又は縮小されるように形成されている請求項１又は請求項４記載の光ピックアップ。
【請求項６】
上記第１の分割領域の上記タンジェンシャル方向に直交する平面における形状と、上記第７の分割領域の上記タンジェンシャル方向に直交する平面における形状とが異なる形状とされている請求項１記載の光ピックアップ。
【請求項７】
上記第１の分割領域の上記トラッキング方向の幅と、上記第４の分割領域の上記トラッキング方向の幅とが異なる請求項１記載の光ピックアップ。
【請求項８】
上記第７の分割領域の上記トラッキング方向の幅と、上記第１０の分割領域の上記トラッキング方向の幅とが異なる請求項１又は請求項７記載の光ピックアップ。
【請求項９】
上記第１及び第２のマグネットの少なくとも一方は、上記トラッキングコイル及び上記フォーカスコイルが取り付けられる上記レンズホルダの側面に対して、上記側面に対向する内面が平行な状態から傾斜して配置されている請求項１記載の光ピックアップ。
【請求項１０】
光ディスクを保持して回転駆動する駆動手段と、
上記駆動手段によって回転駆動する光ディスクに対し情報信号の記録又は再生行う光ビームを照射するとともに、上記光ディスクから反射される反射光ビームを検出する光ピックアップとを有する光ディスク装置であって、
上記光ピックアップは、
対物レンズが取り付けられ、上記対物レンズの光軸と平行なフォーカス方向と、上記対物レンズの光軸方向と直交するトラッキング方向とに移動されるレンズホルダと、
上記レンズホルダを上記フォーカス方向及び上記トラッキング方向に移動可能に支持する支持部と、
上記レンズホルダに対して上記フォーカス方向及び上記トラッキング方向に直交する上記タンジェンシャル方向に対向して配置され、それぞれ磁化方向を上記タンジェンシャル方向のいずれか一方に向けて着磁された第１乃至第６の分割領域を有する第１のマグネットと、
上記レンズホルダに対して上記第１のマグネットと反対側に上記タンジェンシャル方向に対向して配置され、それぞれ磁化方向を上記タンジェンシャル方向のいずれか一方に向けて着磁された第７乃至第１２の分割領域を有する第２のマグネットとを備え、
上記第１の分割領域の上記トラッキング方向の両側に隣接して配置される上記第２及び第３の分割領域が上記第１の分割領域と反対方向に着磁され、
上記第１の分割領域の上記フォーカス方向に隣接して配置される上記第４の分割領域が上記第１の分割領域と反対方向に着磁され、
上記第４の分割領域の上記トラッキング方向の両側に隣接して配置される上記第５及び第６の分割領域が上記第４の分割領域と反対方向に着磁され、
上記第７の分割領域の上記トラッキング方向の両側に隣接して配置される上記第８及び第９の分割領域が上記第７の分割領域と反対方向に着磁され、
上記第７の分割領域の上記フォーカス方向に隣接して配置される上記第１０の分割領域が上記第７の分割領域と反対方向に着磁され、
上記第１０の分割領域の上記トラッキング方向の両側に隣接して配置される上記第１１及び第１２の分割領域が上記第１０の分割領域と反対方向に着磁され、
上記レンズホルダには、
上記第１のマグネットの上記第１及び第２の分割領域と、上記第１のマグネットの上記第１及び第３の分割領域と、上記第２のマグネットの上記第７及び第８の分割領域と、上記第２のマグネットの上記第７及び第９の分割領域とにそれぞれ対応して上記トラッキング方向に駆動力を発生させる４箇所に設けられたトラッキングコイルと、
上記第１のマグネットの上記第１及び第４の分割領域と、上記第２のマグネットの上記第７及び第１０の分割領域とにそれぞれ対応して上記フォーカス方向に駆動力を発生させる２箇所に設けられたフォーカスコイルとが設けられる光ディスク装置。
【発明の詳細な説明】
【技術分野】
【０００１】
本発明は、光ディスクに情報信号を記録し、光ディスクに記録された情報信号の再生を行うために用いられる光ピックアップ及びこの光ピックアップを用いた光ディスク装置に関する。
【背景技術】
【０００２】
従来、情報信号の記録媒体として、ＤＶＤ(Digital Versatile Disc)等の光ディスクが用いられ、この種の光ディスクに情報信号を記録を行い、あるいは光ディスクに記録された情報信号の再生を行うために光ピックアップが用いられている。
【０００３】
このような光ピックアップは、光源から出射された光ビームを光ディスクの記録面上に合焦させるため、対物レンズをその光軸方向であるフォーカス方向に移動させるフォーカス用アクチュエータを備え、さらに、光ビームが光ディスクに設けた記録トラックを追従するようにするため、対物レンズをその光軸と直交する平面方向でのトラッキング方向に移動させるトラッキング用アクチュエータとを備えている。すなわち、光ピックアップは、対物レンズをフォーカス方向とトラッキング方向との互いに直交する２軸方向に駆動変位させる２軸アクチュエータを備えている。
【０００４】
また、光ディスクの高記録密度化に伴って、光ディスクの記録面に形成される光スポットの形状をより正確な円形とするため、フォーカス方向及びトラッキング方向への変位に加えて、対物レンズの光軸を光ディスクの傾きに追従して傾けるチルト方向への駆動変位を可能とした３軸アクチュエータを備えた光ピックアップも提案されている。
【０００５】
上述した２軸又は３軸アクチュエータを備える光ピックアップにおいて、対物レンズを駆動変位する際に、アクチュエータに支持された対物レンズに、フォーカス方向Ｆを軸とした軸回り方向に発生するヨーイングＺｒｏ、トラッキング方向Ｔを軸とした軸回り方向に発生するピッチングＹｒｏ、フォーカス方向及びトラッキング方向に直交するタンジェンシャル方向Ｔｚを軸とした軸回り方向に発生するローリングＸｒｏ等の揺動による不要共振が様々な要因から発生してしまうことがあり、これらの不要共振が発生すると、サーボ特性が劣化してしまう等の問題がある。
【０００６】
その一方で、光ピックアップの小型化及び薄型化を図るために、フォーカス方向、トラッキング方向等に駆動力を発生させるフォーカスコイル、トラッキングコイル及びマグネット等の配置構成が様々な検討がされているが、小型化及び薄型化を図りつつ、バランスよくフォーカス方向及びトラッキング方向に駆動力を発生させるために、例えば、図３０及び図３１に示すように、対物レンズ２２１，２２２を保持するレンズホルダ２０２と、
このレンズホルダ２０２を支持する支持部２０３及び支持アーム２０６と、レンズホルダ２０２の両側面に配置されるフォーカスコイル２１２、及びそれぞれのフォーカスコイル２１２のトラッキング方向の両側に対称に配置されるトラッキングコイル２１１と、これらのコイル２１１，２１２に対して所定の磁界を形成する所謂二極着磁された一対のマグネット２１３とを備える光ピックアップ２０１が知られている。
【０００７】
この一対のマグネット２１３は、図３１（ａ）に示すように、それぞれ、レンズホルダ２０２側の面がＮ極となるように着磁されている第１の分割領域２１３ａと、第１の分割領域２１３ａのトラッキング方向Ｔの両側に隣接する部分２１３ｂ，２１３ｃと、フォーカス方向Ｆに隣接する部分２１３ｄとを有し、レンズホルダ２０２側の面がＳ極となるように着磁されている第２の分割領域２１３ｅとを備える。すなわち、マグネット２１３は、トラッキング方向の境界線ＢＬ１，ＢＬ２及びフォーカス方向の境界線ＢＬ３により第１及び第２の分割領域２１３ａ，２１３ｅを有するものである。
【０００８】
図３０に示す光ピックアップ２０１は、上述したように、バランスの取れた駆動力を発生させることができるとともに、各コイル２１１，２１２がフォーカス方向Ｆに重複した位置に配置されていることから、装置全体の小型化及び薄型化を実現するものである。
【０００９】
しかしながら、かかる光ピックアップ２０１において、トラッキングコイル２１１は、図３１（ａ）に示すように、対向するマグネット２１３のトラッキング方向の分割位置（境界線ＢＬ１，ＢＬ２）に対向することで、すなわち、トラッキング方向に隣接する領域２１３ａ，２１３ｂ及びトラッキング方向に隣接する２１３ａ，２１３ｃに対向することでトラッキング方向Ｔに駆動力を発生させるものであるが、レンズホルダ２０２がフォーカス方向Ｆの下側に駆動すると、トラッキングコイル２１１が図３１（ｂ）に示すように、対向するマグネット２１３のフォーカス方向Ｆの分割位置（境界線ＢＬ３）の近傍に対向してしまうことになり、このトラッキング方向の境界線ＢＬ１，ＢＬ２とフォーカス方向の境界線ＢＬ３とが交わる位置において形成される磁界が他の位置とは異なる強さ及び状態を有することにより、トラッキング方向Ｔの駆動力のバランスがくずれてしまい、特にローリングＸｒｏによる不要共振が問題となる。
【００１０】
【特許文献１】特開平９−４４８７９号公報
【発明の開示】
【発明が解決しようとする課題】
【００１１】
本発明の目的は、小型化、薄型化を実現して最適なフォーカス方向及びトラッキング方向の駆動力を発生させることができるとともに、不要共振を低減した光ピックアップ及び光ディスク装置を提供することにある。
【課題を解決するための手段】
【００１２】
この目的を達成するため、本発明に係る光ピックアップは、対物レンズが取り付けられ、上記対物レンズの光軸と平行なフォーカス方向と、上記対物レンズの光軸方向と直交するトラッキング方向とに移動されるレンズホルダと、上記レンズホルダを上記フォーカス方向及び上記トラッキング方向に移動可能に支持する支持部と、上記レンズホルダに対して上記フォーカス方向及び上記トラッキング方向に直交する上記タンジェンシャル方向に対向して配置され、それぞれ磁化方向を上記タンジェンシャル方向のいずれか一方に向けて着磁された第１乃至第６の分割領域を有する第１のマグネットと、上記レンズホルダに対して上記第１のマグネットと反対側に上記タンジェンシャル方向に対向して配置され、それぞれ磁化方向を上記タンジェンシャル方向のいずれか一方に向けて着磁された第７乃至第１２の分割領域を有する第２のマグネットとを備え、上記第１の分割領域の上記トラッキング方向の両側に隣接して配置される上記第２及び第３の分割領域が上記第１の分割領域と反対方向に着磁され、上記第１の分割領域の上記フォーカス方向に隣接して配置される上記第４の分割領域が上記第１の分割領域と反対方向に着磁され、上記第４の分割領域の上記トラッキング方向の両側に隣接して配置される上記第５及び第６の分割領域が上記第４の分割領域と反対方向に着磁され、上記第７の分割領域の上記トラッキング方向の両側に隣接して配置される上記第８及び第９の分割領域が上記第７の分割領域と反対方向に着磁され、上記第７の分割領域の上記フォーカス方向に隣接して配置される上記第１０の分割領域が上記第７の分割領域と反対方向に着磁され、上記第１０の分割領域の上記トラッキング方向の両側に隣接して配置される上記第１１及び第１２の分割領域が上記第１０の分割領域と反対方向に着磁され、上記レンズホルダには、上記第１のマグネットの上記第１及び第２の分割領域と、上記第１のマグネットの上記第１及び第３の分割領域と、上記第２のマグネットの上記第７及び第８の分割領域と、上記第２のマグネットの上記第７及び第９の分割領域とにそれぞれ対応して上記トラッキング方向に駆動力を発生させる４箇所に設けられたトラッキングコイルと、上記第１のマグネットの上記第１及び第４の分割領域と、上記第２のマグネットの上記第７及び第１０の分割領域とにそれぞれ対応して上記フォーカス方向に駆動力を発生させる２箇所に設けられたフォーカスコイルとが設けられる。
【００１３】
この目的を達成するため、本発明に係る光ディスク装置は、光ディスクを保持して回転駆動する駆動手段と、上記駆動手段によって回転駆動する光ディスクに対し情報信号の記録又は再生行う光ビームを照射するとともに、上記光ディスクから反射される反射光ビームを検出する光ピックアップとを有する光ディスク装置であり、この光ディスク装置に用いる光ピックアップとして、上述したようなものを用いたものである。
【発明の効果】
【００１４】
本発明は、小型化、薄型化を実現して最適なフォーカス方向及びトラッキング方向の駆動力を発生させることができるとともに、不要共振を低減し、良好なサーボ特性を得ることができる。
【発明を実施するための最良の形態】
【００１５】
以下、本発明を適用した光ピックアップを用いた光ディスク装置について、図面を参照して説明する。
【００１６】
本発明を適用した光ディスク装置１０１は、図１に示すように、ＣＤ−ＲやＤＶＤ±Ｒ、ＤＶＤ−ＲＡＭなどの光記録媒体としての光ディスク１０２を回転駆動する駆動手段としてのスピンドルモータ１０３と、光ピックアップ１と、光ピックアップ１をその半径方向に移動させる駆動手段としての送りモータ１０５とを備えている。ここで、スピンドルモータ１０３は、システムコントローラ１０７及び制御回路部１０９により所定の回転数で駆動するように制御されている。
【００１７】
信号変復調部及びＥＣＣブロック１０８は、信号処理部１２０から出力される信号の変調、復調及びＥＣＣ（エラー訂正符号）の付加を行う。光ピックアップ１は、システムコントローラ１０７及び制御回路部１０９からの指令に従って回転する光ディスク１０２の信号記録面に対して光ビームを照射する。このような光ビームの照射により光ディスク１０２に対する情報信号の記録が行われ、光ディスクに記録された情報信号の再生が行われる。
【００１８】
また、光ピックアップ１は、光ディスク１０２の信号記録面から反射される反射光ビームに基づいて、後述するような各種の光ビームを検出し、各光ビームから得られる検出信号を信号処理部１２０に供給するように構成されている。
【００１９】
信号処理部１２０は、各光ビームを検出して得られる検出信号に基づいて各種のサーボ用信号、すなわち、フォーカスエラー信号、トラッキングエラー信号を生成し、さらに、光ディスクに記録された情報信号であるＲＦ信号を生成する。また、再生対象とされる記録媒体の種類に応じて、制御回路部１０９、信号変調及びＥＣＣブロック１０８等により、これらの信号に基づく復調及び誤り訂正処理等の所定の処理が行われる。
【００２０】
ここで、信号変調及びＥＣＣブロック１０８により復調された記録信号が、例えばコンピュータのデータストレージ用であれば、インタフェース１１１を介して外部コンピュータ１３０等に送出される。これにより、外部コンピュータ１３０等は光ディスク１０２に記録された信号を再生信号として受け取ることができるように構成されている。
【００２１】
また、信号変調及びＥＣＣブロック１０８により復調された記録信号がオーディオ・ビジュアル用であれば、Ｄ／Ａ、Ａ／Ｄ変換器１１２のＤ／Ａ変換部でデジタル／アナログ変換され、オーディオ・ビジュアル処理部１１３に供給される。そして、このオーディオ・ビジュアル処理部１１３でオーディオ・ビデオ信号処理が行われ、オーディオ・ビジュアル信号入出力部１１４を介して外部の撮像・映写機器に伝送される。
【００２２】
光ピックアップ１には、送りモータ１０５が接続されている。光ピックアップ１は、送りモータ１０５の回転によって光ディスク１０２の径方向に送り操作され、光ディスク１０２上の所定の記録トラックまで移動される。スピンドルモータ１０３の制御と、送りモータ１０５の制御と、光ピックアップ１の対物レンズをその光軸方向のフォーカス方向及び光軸方向と直交するトラッキング方向へ移動変位させるアクチュエータの制御は、それぞれ制御回路部１０９により行われる。
【００２３】
すなわち、制御回路部１０９は、スピンドルモータ１０３の制御を行い、フォーカスエラー信号及びトラッキングエラー信号に基づいてアクチュエータの制御を行う。
【００２４】
また、制御回路部１０９は、信号処理部１２０から入力されるフォーカスエラー信号、トラッキングエラー信号、ＲＦ信号などに基づいて、後述するトラッキングコイル１１ａ〜１１ｄ及びフォーカスコイル１２ａ，１２ｂ（図４参照）に供給するための駆動信号（駆動電流）をそれぞれ生成するように構成されている。
【００２５】
また、レーザ制御部１２１は、光ピックアップ１におけるレーザ光源を制御するものである。
【００２６】
尚、ここでフォーカス方向Ｆとは、光ピックアップ１の対物レンズ２１，２２（図２参照）の光軸方向をいい、タンジェンシャル方向Ｔｚとはフォーカス方向Ｆと直交する方向であって光ディスク１０２の円周のタンジェンシャル方向と平行する方向をいい、トラッキング方向Ｔとはフォーカス方向Ｆ及びタンジェンシャルＴｚ方向と直交する方向をいう。また、対物レンズ２１，２２の光軸と、この光軸を通り光ディスク１０２の半径方向に延在する仮想線とのなす角度が９０度に対してずれている差分の角度をラジアル方向のチルト角という。
【００２７】
また、光ディスク装置１０１には、スピンドルモータ１０３に装着された光ディスク１０２の傾きを検出する傾き検出センサ５５（図１８参照）が設けられている。傾き検出センサ５５によって検出された検出信号は、制御回路部１０９に供給される。制御回路部１０９は、傾き検出信号に基づいてチルト角制御信号を出力し、後述する駆動手段５に供給する。駆動手段５は、チルト角制御信号に応じた駆動電流により対物レンズ２１，２２を駆動変位させてチルト角の調整を行う。
【００２８】
次に、本発明が適用された光ピックアップ１について詳細に説明する。
【００２９】
光ピックアップ１は、波長を異にする複数種類の光ビームを選択的に用いて情報信号の記録又は再生が行われる複数種類の光ディスク１０２に対して、情報信号の記録及び／又は再生を行う光ディスク装置に用いられるものであり、具体的には、波長４００〜４１０ｎｍ程度の光ビームを用いて情報信号の記録又は再生が行われる第１の光ディスクと、波長６５０〜６６０ｎｍ程度の光ビームを用いて情報信号の記録又は再生が行われる第２の光ディスクと、波長７６０〜８００ｎｍ程度の光ビームを用いて情報信号の記録又は再生が行われる第３の光ディスクとに対して情報信号の記録及び／又は再生を行うものとして説明する。
【００３０】
尚、以下では、光ピックアップ１を異なる３種類の光ディスクに対して、情報信号の記録及び／又は再生を行うものとして説明するが、これに限られるものではなく、異なる複数種類又は１種類の光ディスクに対して情報信号の記録及び／又は再生を行うものであってもよい。
【００３１】
本発明が適用された光ピックアップ１は、上述した異なる波長の複数種類の光ビームを出射する光源としての半導体レーザと、光ディスク１０２の信号記録面から反射される反射光ビームを検出する光検出素子としてのフォトダイオードと、半導体レーザからの光ビームを光ディスク１０２に導くとともに、光ディスク１０２で反射した光ビームを光検出素子に導く光学系とを有している。
【００３２】
この光ピックアップ１は、図２及び図３に示すように、光ディスク装置１０１の筐体内で光ディスク１０２の半径方向に移動可能に設けられた取り付け基台９上に設けられている。
【００３３】
また、光ピックアップ１は、図２乃至図４に示すように光源から出射された光ビームを集光して光ディスク１０２に照射する複数の対物レンズ２１，２２を支持するレンズホルダ２と、レンズホルダ２からタンジェンシャル方向Ｔｚに間隔をおいて配置され取り付け基台９に取り付けられた支持体３とを備える。この第１及び第２の対物レンズ２１，２２は、光ピックアップ１の光学系の一部を構成している。
【００３４】
ここで、第１の対物レンズ２１は、例えば、波長を４００〜４１０ｎｍとする光ビームを第１の光ディスクに集光させるために用いられ、第２の対物レンズ２２は、波長を６５０〜６６０ｎｍとする光ビームと波長を７６０〜８００ｎｍとする光ビームとを第２又は第３の光ディスクに集光させるために用いられる。また、第１及び第２の対物レンズ２１，２２は、タンジェンシャル方向Ｔｚに並列して配置されている。ここで、第１の対物レンズ２１は、後述する支持アーム６ａ〜６ｄの固定部側である支持体３側に位置して設けられ、第２の対物レンズ２２は、可動部側であるレンズホルダ２の先端側に位置して設けられる。
【００３５】
尚、光ピックアップ１では、タンジェンシャル方向Ｔｚに並んで配置される複数の対物レンズ２１，２２を備えるように構成したが、これに限られるものではなく、例えば複数の対物レンズをラジアル方向（トラッキング方向Ｔ）に配置するように構成してもよく、また、１つの対物レンズを備えるように構成してもよい。
【００３６】
レンズホルダ２は、図２及び図４に示すように、第１及び第２の対物レンズ２１，２２の外周面側を囲むように設けられ、第１及び第２の対物レンズ２１，２２を対物レンズの光軸と平行なフォーカス方向Ｆと、光軸と直交するトラッキング方向Ｔとに移動可能に支持している。
【００３７】
レンズホルダ２のフォーカス方向Ｆ及びトラッキング方向Ｔに直交するタンジェンシャル方向Ｔｚに相対向する側面には、図４及び図５に示すように、光ディスク１０２の略半径方向であるトラッキング方向Ｔに駆動力を発生させる４箇所に設けられた第１乃至第４のトラッキングコイル１１ａ，１１ｂ，１１ｃ，１１ｄと、光ディスク１０２に近接及び離間する方向であるフォーカス方向Ｆに駆動力を発生させる２箇所に設けられた第１及び第２のフォーカスコイル１２ａ，１２ｂとが取り付けられている。トラッキングコイル１１ａ〜１１ｄは、レンズホルダ２の各側面に一対ずつ設けられ、フォーカスコイル１２ａ，１２ｂは、レンズホルダ２の各側面に一つずつ設けられている。また、レンズホルダ２の各側面のトラッキング方向Ｆの略中心線上にフォーカスコイル１２ａ，１２ｂが配置され、このフォーカスコイル１２ａ，１２ｂのトラッキング方向Ｆの両側の略対称な位置にトラッキングコイル１１ａ〜１１ｄが配置され、フォーカスコイル及びトラッキングコイルがフォーカス方向に一部重複した位置に配置されていることにより、レンズホルダ２のフォーカス方向Ｆの寸法を縮小して装置の薄型化及び小型化を実現でき、さらに、各コイルの駆動バランスを良好にすることができる。また、トラッキングコイル１１ａ〜１１ｄ並びにフォーカスコイル１２ａ，１２ｂは、後述する第１及び第２のマグネット１３，１４の所定の分割領域に対応して、それぞれトラッキング方向Ｔ及びフォーカス方向Ｆに駆動力を発生させる位置に配置されている。
【００３８】
レンズホルダ２のトラッキング方向Ｔに離間した両側面には、それぞれフォーカス方向Ｆに間隔をおいて一対ずつの支持アーム６ａ，６ｂ及び支持アーム６ｃ、６ｄを支持するアーム支持部２４が設けられている。
【００３９】
そして、レンズホルダ２と取り付け基台９との間には、図２及び図４に示すように、ヨーク１８が配設されている。ヨーク１８は、ベース８に取り付けられ取り付け基台９に固定されている。このヨーク１８のほぼ中央部には、第１及び第２の対物レンズ２１，２２に入射する光ビームを透過するための開口部が設けられている。
【００４０】
ヨーク１８のタンジェンシャル方向Ｔｚの両側には、図２及び図４に示すように、第１及び第２の対物レンズ２１，２２を挟んで相対向するように一対のヨーク片１８ａ，１８ｂが立ち上がり形成される。各ヨーク片１８ａ，１８ｂの相対向する面には、第１及び第２のマグネット１３，１４が取り付けられている。ここで、第１のマグネット１３は、可動部側すなわちレンズホルダ２の先端側に配置され、第２のマグネット１４は、固定部側すなわち支持体３側に配置されている。
【００４１】
第１のマグネット１３は、図２、図６及び図７に示すように、レンズホルダ２に対してタンジェンシャル方向Ｔｚに対向して配置され、それぞれの領域内で磁化方向をタンジェンシャル方向Ｔｚのいずれか一方に向けて着磁された第１乃至第６の分割領域１３ａ〜１３ｆを有する。
【００４２】
第２のマグネット１４は、図２、図６及び図８に示すように、レンズホルダ２に対して第１のマグネット１３と反対側にタンジェンシャル方向Ｔｚに対向して配置され、それぞれの領域内で磁化方向をタンジェンシャル方向のいずれか一方に向けて着磁された第７乃至第１２の分割領域１４ａ〜１４ｆを有する。
【００４３】
ここで、第１及び第２のマグネット１３，１４の着磁パターンについて説明する。
【００４４】
まず、図７に示すように、第１のマグネット１３の第１の分割領域１３ａは、略矩形状に形成され、そのレンズホルダ２側の面がＮ極となるように着磁されている。
【００４５】
第２及び第３の分割領域１３ｂ，１３ｃは、第１の分割領域１３ａのトラッキング方向Ｔの両側に隣接して配置され、第１の分割領域１３ａと反対方向に着磁され、すなわち、そのレンズホルダ２側の面がＳ極となるように着磁されている。
【００４６】
第４の分割領域１３ｄは、第１の分割領域１３ａのフォーカス方向Ｆに隣接して配置され、第１の分割領域１３ａと反対方向に着磁され、すなわち、そのレンズホルダ２側の面がＳ極となるように着磁されている。尚、ここでは、第４の分割領域１３ｄは、第１の分割領域１３ａのフォーカス方向Ｆの光ディスク１０２から離間する側、すなわち、ベース８側に配置されているが、フォーカス方向Ｆの光ディスクに近接する側、すなわち、対物レンズ２１，２２側に設けられてもよい。
【００４７】
第５及び第６の分割領域１３ｅ，１３ｆは、第４の分割領域１３ｄのトラッキング方向Ｔの両側に隣接して配置され、第４の分割領域１３ｄと反対方向に着磁され、すなわち、そのレンズホルダ２側の面がＮ極となるように着磁されている。
【００４８】
尚、上述した、第１のマグネット１３の第１乃至第６の分割領域１３ａ〜１３ｆのＳ極、Ｎ極は、逆であってもよい。
【００４９】
第２のマグネット１４は、第１のマグネット１３と同一形状の分割領域である第７乃至第１２の分割領域１４ａ〜１４ｆを有し、第１のマグネット１３と同一方向に着磁され、同一方向に着磁された面が互いに対向するように配置されている。
【００５０】
すなわち、図８に示すように、第２のマグネット１４の第７の分割領域１４ａは、略矩形状に形成され、そのレンズホルダ２側の面がＮ極となるように着磁されている。また、第７の分割領域１４ａは、第１のマグネット１３の第１の分割領域１３ａに対向する領域である。
【００５１】
第８及び第９の分割領域１４ｂ，１４ｃは、第７の分割領域１４ａのトラッキング方向Ｔの両側に隣接して配置され、第７の分割領域１４ａと反対方向に着磁され、すなわち、そのレンズホルダ２側の面がＳ極となるように着磁されている。また、第８の分割領域１４ｂは、第１のマグネット１３の第２の分割領域１３ｂに対向する領域であり、第９の分割領域１４ｃは、第１のマグネット１３の第３の分割領域１３ｃに対向する領域である。
【００５２】
第１０の分割領域１４ｄは、第７の分割領域１４ａのフォーカス方向Ｆに隣接して配置され、第７の分割領域１４ａと反対方向に着磁され、すなわち、そのレンズホルダ２側の面がＳ極となるように着磁されている。また、第１０の分割領域１４ｄは、第１のマグネット１３の第４の分割領域１３ｄに対向する領域である。
【００５３】
第１１及び第１２の分割領域１４ｅ，１４ｆは、第１０の分割領域１４ｄのトラッキング方向Ｔの両側に隣接して配置され、第１０の分割領域１４ｄと反対方向に着磁され、すなわち、そのレンズホルダ２側の面がＮ極となるように着磁されている。また、第１１の分割領域１４ｅは、第１のマグネット１３の第５の分割領域１３ｅに対向する領域であり、第１２の分割領域１４ｆは、第１のマグネット１３の第６の分割領域１３ｆに対向する領域である。
【００５４】
尚、上述では、第２のマグネット１４は、第１のマグネット１３と同一形状の分割領域を有し、第１のマグネット１３と同一方向に着磁され、同一方向に着磁された面が互いに対向するように構成し、すなわち、第１及び第２のマグネット１３，１４のそれぞれの対向する各分割領域の互いに対向する面が同じ極になるように着磁されるように構成したが、これに限られるものではなく、第２のマグネット１４が第１のマグネット１３と同一形状の分割領域を有し、反対方向に着磁され、反対方向に着磁された面が互いに対向するように構成し、すなわち、第１及び第２のマグネット１３，１４のそれぞれの対向する各分割領域の互いに対向する面が反対方向の極になるように着磁されるように構成してもよい。
【００５５】
また、第２のマグネット１４は、図６、図８、図９及び図１０に示すように、第１のマグネット１３に対向する内面側のフォーカス方向Ｆの両端に設けられる第１及び第２のテーパ部１４ｇ，１４ｈと、この第１及び第２のテーパ部１４ｇ，１４ｈのフォーカス方向Ｆの間に設けられる平坦部１４ｉとを有するように構成されている。第２のマグネット１４に第１及び第２のテーパ部１４ｇ，１４ｈを設けることで、後述するように、フォーカス方向Ｆに駆動され、レンズホルダ２が図９中矢印ｄ方向に円弧状に駆動変位された際にも、第３及び第４のトラッキングコイル１１ｃ，１１ｄ並びに第２のフォーカスコイル１２ｂと、第２のマグネット１４の内面との距離の変動を抑えることができ、すなわち、第２のマグネット１４の各分割領域１４ａ〜１４ｆにより形成される磁界のこれらの各コイル１１ｃ，１１ｄ，１２ｂに対しての影響の変化を抑えることができ、これらの各コイル１１ｃ，１１ｄ，１２ｂによるフォーカス方向Ｆ及びトラッキング方向Ｔの駆動力が変動してしまうことを防止することができる。ここで、第１及び第２のテーパ部１４ｇ，１４ｈは、レンズホルダ２の対向する側面及びこの側面に配置される各コイル１１ｃ，１１ｄ，１２ｂから離間する方向に向けて傾斜して形成される。換言すると、テーパ部１４ｇと、テーパ部１４ｈとの間の平坦部１４ｉが突状に形成されるように構成される。そして、支持部側のマグネット１４に、この離間する方向に向けて傾斜したテーパ部１４ｇ，１４ｈを形成することにより、レンズホルダ２が円弧状に駆動変位された際にも、各コイル１１ｃ，１１ｄ，１２ｂとマグネット１４との間隔の変動を抑えることができ、各コイル１１ｃ，１１ｄ，１２ｂに対して形成される磁界の強さの変化を低減できる。
【００５６】
尚、ここでは、第２のマグネット１４にテーパ部１４ｇ，１４ｈを設けるように構成したが、これに限られるものではなく、例えば、第１及び第２のマグネット１３，１４が互いに対向する内面側のフォーカス方向Ｆの両端にテーパ部を有するように構成してもよい。
【００５７】
すなわち、図１１及び図１２に示すように、レンズホルダ２に対してタンジェンシャル方向Ｔｚに対向して配置され、上述した第１のマグネット１３と同じ着磁パターンを有し、且つ第２のマグネット１４に対向する内面側のフォーカス方向Ｆの両端に設けられる第１及び第２のテーパ部１３Ａ１、１３Ａ２と、この第１及び第２のテーパ部１３Ａ１，１３Ａ２のフォーカス方向Ｆの間に設けられる平坦部１３Ａ３とを有する第１のマグネット１３Ａと、レンズホルダ２に対してこの第１のマグネット１３Ａと反対側にタンジェンシャル方向Ｔｚに対向して配置され、上述と同様の構成とされた第２のマグネット１４とを、上述した第１及び第２のマグネット１３，１４と同様に、各ヨーク片１８ａ、１８ｂに取り付けるように構成してもよい。
【００５８】
図１１及び図１２に示すように、第２のマグネット１４に加えて、第１のマグネット１３Ａにも、テーパ部１３Ａ１，１３Ａ２を設けるように構成することで、フォーカス方向Ｆに駆動され、レンズホルダ２が円弧状に駆動変位された際にも、第１及び第２のトラッキングコイル１１ａ，１１ｂ並びに第１のフォーカスコイル１２ａと、第１のマグネット１３Ａの内面との距離の変動を抑えることができ、すなわち、第１のマグネット１３Ａの各分割領域により形成される磁界のこれらの各コイル１１ａ，１１ｂ，１２ａに対しての影響の変化を抑えることができ、これらの各コイル１１ａ，１１ｂ，１２ａによるフォーカス方向Ｆ及びトラッキング方向Ｔの駆動力が変動してしまうことを防止することができる。ここで、テーパ部１３Ａ１，１３Ａ２は、上述した第２のマグネット１４のテーパ部１４ｇ，１４ｈとタンジェンシャル方向Ｔｚにおいて反対方向に形成されている。すなわち、テーパ部１３Ａ１，１３Ａ２は、レンズホルダ２の対向する側面及びこの側面に配置される各コイル１１ａ，１１ｂ，１２ａに近接する方向に向けて傾斜して形成される。換言すると、テーパ部１３Ａ１と、テーパ部１３Ａ２との間の平坦部１３Ａ３が凹状に形成されるように構成される。このように、支持部側から離間する側のマグネット１３Ａに、この近接する方向に向けて傾斜したテーパ部１３Ａ１，１３Ａ２を形成することにより、レンズホルダ２が円弧状に駆動変位された際にも、各コイル１１ａ，１１ｂ，１２ａとマグネット１３Ａとの間隔の変動を抑えることができ、各コイル１１ａ，１１ｂ，１２ａに対して形成される磁界の強さの変化を低減できる。
【００５９】
さらに、第２のマグネットにはテーパを設けることなく、第１のマグネットが第２のマグネットに対向する内面側のフォーカス方向Ｆの両端にテーパ部を有するように構成してもよい。
【００６０】
また、第１及び第２のマグネットのいずれにもテーパ部を設けなくてもよい。すなわち、図１３に示すように、レンズホルダ２に対してタンジェンシャル方向Ｔｚに対向して配置され、上述と同様の構成とされた第１のマグネット１３と、レンズホルダ２に対してこの第１のマグネット１３と反対側にタンジェンシャル方向Ｔｚに対向して配置され、上述した第２のマグネット１４と同じ着磁パターンを有して、テーパ部が設けられていない第２のマグネット１４Ａとを、上述した第１及び第２のマグネット１３，１４と同様に、各ヨーク片１８ａ，１８ｂに取り付けるように構成してもよい。
【００６１】
また、第１及び／又は第２のマグネットに形成されるテーパの形状は、上述に限られるものではなく、図１４（ａ）、図１４（ｂ）及び図１４（ｃ）のように形成してもよい。すなわち、図１４（ａ）に示す第１及び第２のマグネット１３Ｂ，１４Ｂのように、フォーカス方向Ｆの対物レンズ２１，２２に近い側である上側に設けられた第１のテーパ部１３Ｂ１，１４Ｂ１のテーパ角度α１と、フォーカス方向Ｆの対物レンズから遠い側である下側に設けられた第２のテーパ部１３Ｂ２，１４Ｂ２のテーパ角度α２とが異なるように形成してもよい。また、図１４（ｂ）に示す第１及び第２のマグネット１３Ｃ，１４Ｃのように、上側の第１のテーパ部１３Ｃ１，１４Ｃ１及び下側のテーパ部１３Ｃ２，１４Ｃ２に加えて、第１のテーパ部１３Ｃ１，１４Ｃ１と第２のテーパ部１３Ｃ２，１４Ｃ２との間に第３及び第４のテーパ部１３Ｃ３，１３Ｃ４，１４Ｃ３，１４Ｃ４からなる突出部、切り込み凹部を設けるように構成してもよい。また、図１４（ｃ）に示す第１及び第２のマグネット１３Ｄ，１４Ｄのように、テーパ部１３Ｄ１，１３Ｄ２，１４Ｄ１，１４Ｄ２を曲面状に形成してもよい。尚、上述の図１４（ａ）〜図１４（ｃ）では、第１及び第２のマグネットの両方にテーパ部を設けるように構成したが、いずれか一方のマグネットにテーパ部を設けるように構成してもよい。
【００６２】
さらに、第１及び第２のマグネットには、上述のテーパに代えて、図１４（ｄ）に示す第１及び第２のマグネット１３Ｅ，１４Ｅのように、上側の第１の段部１３Ｅ１，１４Ｅ１及び下側の第２の段部１３Ｅ２，１４Ｅ２を形成することで、上述した各テーパ部と同様の効果を有することができる。第１のマグネット１３Ｅに形成された各段部１３Ｅ１，１３Ｅ２は、レンズホルダ２側に突出する突状に形成され、第２のマグネット１４Ｅに形成された各段部１４Ｅ１，１４Ｅ２は、レンズホルダ２側から離間する側に凹状に形成され、ここでは、各段部１３Ｅ１，１３Ｅ２とタンジェンシャル方向Ｔｚの長さが略等しくされている。尚、上述の図１４（ｄ）では、第１及び第２のマグネットの両方に段部を設けるように構成したが、いずれか一方のマグネットに段部を設けるように構成してもよい。
【００６３】
また、第１及び第２のマグネットは、上述したマグネット１３，１３Ａ，１４，１４Ａ並びに図１４（ａ）〜図１４（ｄ）に示すマグネット１３Ｂ，１３Ｃ，１３Ｄ，１３Ｅ，１４Ｂ，１４Ｃ，１４Ｄ，１４Ｅを選択的に組み合わせたものを用いてもよい。
【００６４】
上述したように、第１及び第２のマグネット１３，１４は、それぞれ六極着磁されており、レンズホルダ２の相対向する側面にそれぞれ取り付けられた第１乃至第４のトラッキングコイル１１ａ〜１１ｄ並びに第１及び第２のフォーカスコイル１２ａ，１２ｂに相対向されている。第１及び第２のマグネット１３，１４は、対向して配置される各トラッキングコイル１１ａ〜１１ｄ、及び各フォーカスコイル１２ａ，１２ｂに所定の磁界を与える。
【００６５】
第１乃至第４のトラッキングコイル１１ａ〜１１ｄは、図４、図５、図７及び図８に示すように、それぞれ、第１のマグネット１３のトラッキング方向Ｔに隣接する第１及び第２の分割領域１３ａ，１３ｂと、第１のマグネット１３のトラッキング方向Ｔに隣接する第１及び第３の分割領域１３ａ，１３ｃと、第２のマグネット１４の第１及び第２の分割領域１３ａ，１３ｂに対向する領域と、第２のマグネット１４の第１及び第３の分割領域１３ａ，１３ｃに対向する領域とに対応してトラッキング方向Ｔに駆動力を発生させる。ここで、第２のマグネット１４の第１及び第２の分割領域１３ａ，１３ｂに対向する領域は、トラッキング方向Ｔに隣接する第７及び第８の分割領域１４ａ，１４ｂであり、第２のマグネット１４の第１及び第３の分割領域１３ａ，１３ｃに対向する領域は、トラッキング方向Ｔに隣接する第７及び第９の分割領域１４ａ，１４ｃである。
【００６６】
すなわち、第１のトラッキングコイル１１ａは、第１のマグネット１３の第１及び第２の分割領域１３ａ，１３ｂに対向する位置に配置され、タンジェンシャル方向Ｔｚであって反対方向に着磁された第１及び第２の分割領域１３ａ，１３ｂにより形成された磁界と、第１のトラッキングコイル１１ａ自体に流される電流の向き、大きさとにより、トラッキング方向Ｔに駆動力を発生させる。
【００６７】
第２のトラッキングコイル１１ｂは、第１のマグネット１３の第１及び第３の分割領域１３ａ，１３ｃに対向する位置に配置され、タンジェンシャル方向Ｔｚであって反対方向に着磁された第１及び第３の分割領域１３ａ，１３ｃにより形成された磁界と、第２のトラッキングコイル１１ｂ自体に流される電流の向き、大きさとにより、トラッキング方向Ｔに駆動力を発生させる。
【００６８】
第３のトラッキングコイル１１ｃは、第２のマグネット１４の第７及び第８の分割領域１４ａ，１４ｂに対向する位置に配置され、タンジェンシャル方向Ｔｚであって反対方向に着磁された第７及び第８の分割領域１４ａ，１４ｂにより形成された磁界と、第３のトラッキングコイル１１ｃ自体に流される電流の向き、大きさとにより、トラッキング方向Ｔに駆動力を発生させる。
【００６９】
第４のトラッキングコイル１１ｄは、第２のマグネット１４の第７及び第９の分割領域１４ａ，１４ｃに対向する位置に配置され、タンジェンシャル方向Ｔｚであって反対方向に着磁された第７及び第９の分割領域１４ａ，１４ｃにより形成された磁界と、第４のトラッキングコイル１１ｄ自体に流される電流の向き、大きさとにより、トラッキング方向Ｔに駆動力を発生させる。
【００７０】
また、第１及び第２のフォーカスコイル１２ａ，１２ｂは、図４、図５、図７及び図８に示すように、それぞれ、第１のマグネット１３のフォーカス方向Ｆに隣接する第１及び第４の分割領域１３ａ，１３ｄと、第２のマグネット１４の第１及び第４の分割領域１３ａ，１３ｄに対向する領域とに対応してフォーカス方向Ｆに駆動力を発生させる。ここで、第２のマグネット１４の第１及び第４の分割領域１３ａ，１３ｄに対向する領域は、フォーカス方向Ｆに隣接する第７及び第１０の分割領域１４ａ，１４ｄである。
【００７１】
すなわち、第１のフォーカスコイル１２ａは、第１のマグネット１３の第１及び第４の分割領域１３ａ，１３ｄに対向する位置に配置され、タンジェンシャル方向Ｔｚであって反対方向に着磁された第１及び第４の分割領域１３ａ，１３ｄにより形成された磁界と、第１のフォーカスコイル１２ａ自体に流される電流の向き、大きさとにより、フォーカス方向Ｆに駆動力を発生させる。
【００７２】
第２のフォーカスコイル１２ｂは、第２のマグネット１４の第７及び第１０の分割領域１４ａ，１４ｄに対向する位置に配置され、タンジェンシャル方向Ｔｚであって反対方向に着磁された第７及び第１０の分割領域１４ａ，１４ｄにより形成された磁界と、第２のフォーカスコイル１２ｂ自体に流される電流の向き、大きさとにより、フォーカス方向Ｆに駆動力を発生させる。
【００７３】
このように、第１及び第２のトラッキングコイル１１ａ，１１ｂ並びに第１のフォーカスコイル１２ａに第１のマグネット１３が対向され、第３及び第４のトラッキングコイル１１ｃ，１１ｄ並びに第２のフォーカスコイル１２ｂに第２のマグネット１４が対向されることにより、各トラッキングコイル１１ａ〜１１ｄにトラッキング用の駆動電流が供給されると、各トラッキングコイル１１ａ〜１１ｄに供給された駆動電流と各マグネット１３，１４からの磁界との相互作用によってレンズホルダ２をトラッキング方向Ｔに駆動変位させ、各フォーカスコイル１２ａ，１２ｂにフォーカス用の駆動電流が供給されると、各フォーカスコイル１２ａ，１２ｂに供給された駆動電流と各マグネット１３，１４からの磁界との相互作用によってレンズホルダ２をフォーカス方向Ｆに駆動変位させる。
【００７４】
その結果、レンズホルダ２に支持された第１及び第２の対物レンズ２１，２２が、フォーカス方向Ｆ又はトラッキング方向Ｔに駆動変位され、第１及び第２の対物レンズ２１，２２を介して光ディスク１０２に照射される光ビームが光ディスク１０２の信号記録面に合焦するように制御されるフォーカス制御が行われ、光ビームが光ディスク１０２に形成された記録トラックを追従するように制御されるトラッキング制御が行われる。
【００７５】
支持体３は、図２及び図４に示すように、レンズホルダ２に対してトラッキング方向Ｔに沿った長さと、フォーカス方向Ｆに沿った高さとを有している。
【００７６】
支持体３のトラッキング方向Ｔに離間した両側面には、それぞれフォーカス方向Ｆに間隔をおいて一対ずつの支持アーム６ａ，６ｂ及び支持アーム６ｃ，６ｄを支持するアーム支持部３１が設けられている。支持体３の背面側には、図示しないプリント配線基板が取り付けられている。このプリント配線基板には、制御回路部１０９からフォーカス用の駆動電流とトラッキング用の駆動電流が供給される。
【００７７】
そして、レンズホルダ２のトラッキング方向Ｔにおける両側のアーム支持部２４と、支持体３のトラッキング方向Ｔにおける両側のアーム支持部３１とは、それぞれ一方及び他方の一対ずつの支持アーム６ａ，６ｂ，６ｃ，６ｄで連結されている。一方及び他方の各支持アーム６ａ，６ｂ，６ｃ，６ｄは、図２に示すように、フォーカス方向Ｔに間隔をおいて互いに平行に設けられ、支持体３に対してレンズホルダ２をフォーカス方向Ｆとトラッキング方向Ｔとに移動可能に支持している。これら各支持アーム６ａ，６ｂ，６ｃ，６ｄは、導電性を有するとともに、弾性を有する線状部材により構成されている。すなわち、各支持アーム６ａ〜６ｄは、可動部側としてのレンズホルダ２を固定部側としての支持体３に対してフォーカス方向及びトラッキング方向に移動可能に支持する弾性支持部材として機能する。
【００７８】
支持体３の一方の側に配設された一対の支持アーム６ａ，６ｂは、そのレンズホルダ２側の端部が、第１及び第２のフォーカスコイル１２ａ，１２ｂに設けられた接続端子１６，１６に半田付けなどで接続され、支持体３側の端部が、プリント配線基板に設けた導電パターンに接続されている。これにより、制御回路部１０９からのフォーカス用の駆動電流が支持アーム６ａ，６ｂを介して第１及び第２のフォーカスコイル１２ａ，１２ｂに供給される。
【００７９】
同様に、支持体３の他方の側に配設された支持アーム６ｃ，６ｄは、そのレンズホルダ２側の端部が、第１乃至第４のトラッキングコイル１１ａ〜１１ｄに設けられた接続端子１７，１７に半田付けなどで接続され、支持体３側の端部が、プリント配線基板に設けた導電パターンに接続されている。これにより、制御回路部１０９からのトラッキング用の駆動電流が支持アーム６ｃ，６ｄを介して第１乃至第４のトラッキングコイル１１ａ〜１１ｄに供給される。
【００８０】
第１及び第２の対物レンズ２１，２２が取り付けられたレンズホルダ２は、支持アーム６ａ〜６ｄの延長方向において、第１及び第２の対物レンズ２１，２２の光軸間の中間部分の両側を６ａ〜６ｄによって支持されている。すなわち、レンズホルダ２は、第１及び第２の対物レンズ２１，２２の光軸間の中間部分の両側に設けたアーム支持部２４に支持アーム６ａ〜６ｄの先端部を固定することによって、少なくともフォーカス方向Ｆ及びトラッキング方向Ｔの２軸方向に変位可能に支持される。
【００８１】
尚、レンズホルダ２の支持アーム６ａ〜６ｄの先端部によって支持される位置には、トラッキングコイル１１ａ〜１１ｄ及びフォーカスコイル１２ａ，１２ｂを取り付けたレンズホルダ２の重心の両側に位置することが望ましい。このような位置が支持されることにより、第１及び第２の対物レンズ２１，２２は、捩れ等を生じさせることなくフォーカス方向Ｆ及びトラッキング方向Ｔに安定して変位可能となる。
【００８２】
上述したように、光ピックアップ１は、第１乃至第６の分割領域１３ａ〜１３ｆ、第７乃至第１２の分割領域１４ａ〜１４ｆを有する第１及び第２のマグネット１３，１４と、上述のように配置される第１乃至第４のトラッキングコイル１１ａ〜１１ｄ並びに第１及び第２のフォーカスコイル１２ａ，１２ｂとにより、小型化、薄型化を実現して最適なフォーカス方向Ｆ及びトラッキング方向Ｔの駆動力を発生させることができるとともに、不要共振を低減し、良好なサーボ特性を得ることができる。
【００８３】
すなわち、光ピックアップ１は、レンズホルダ２の対向する側面に１つずつ設けられたフォーカスコイル１２ａ，１２ｂと、このフォーカスコイル１２ａ，１２ｂのトラッキング方向Ｔの両側に１対ずつ設けられるトラッキングコイル１１ａ，１１ｂ、トラッキングコイル１１ｃ，１１ｄとを有し、さらに、このフォーカスコイル１２ａ，１２ｂと隣接するトラッキングコイル１１ａ〜１１ｄとは、フォーカス方向Ｆにおいて一部重複した位置に配置されていることから、フォーカスコイル及びトラッキングコイルをフォーカス方向Ｆの寸法を縮小したレンズホルダ２に配置することを可能とし、すなわち、レンズホルダ２のフォーカス方向Ｆの寸法を縮小することを可能とし、ピックアップ全体の薄型化、小型化を実現する。
【００８４】
また、光ピックアップ１は、上述のように配置された各コイルに対して、上述のような六極着磁された着磁パターンを有する第１及び第２のマグネット１３，１４により所望の磁界を形成することにより、バランスのとれたフォーカス方向Ｆ及びトラッキング方向Ｔの駆動力を発生させることを可能とし、さらに、レンズホルダ２がフォーカス方向Ｆに駆動してトラッキングコイル１１ａ〜１１ｄが第４乃至第６の分割領域１３ｄ，１３ｅ，１３ｆ、並びに、第１０乃至第１２の分割領域１４ｄ，１４ｅ，１４ｆに近接して対向する位置に変位した場合にも、これらの領域がトラッキングコイル１１ａ〜１１ｄに対しての磁界を変化させることなく、常に所望の適正な磁界を形成することができるので、フォーカス方向Ｆに駆動してフォーカス方向に隣接する領域にトラッキングコイルが対向した際にトラッキングコイル１１ａ〜１１ｄに対しての磁界が変化することにより特に発生しやすいローリングＸｒｏ等の揺動動作を低減して、不要共振を低減することができる。
【００８５】
換言すると、光ピックアップ１は、レンズホルダ２に対向して配置される第１及び第２のマグネット１３，１４の各分割領域１３ａ〜１３ｆ、１４ａ〜１４ｆにより所定の磁界を形成し、この第１及び第２のマグネット１３，１４の所定の分割領域に対応して、各トラッキングコイル１１ａ〜１１ｄ及び各フォーカスコイル１２ａ，１２ｂが上述したようにバランスよく配置されているので、小型化及び薄型化を実現するとともに、最適なトラッキング方向Ｔ及びフォーカス方向Ｆの駆動力を発生させることができ、さらに、対物レンズ２１，２２の揺動動作を低減させて、不要共振によるサーボ特性の劣化を防止する。
【００８６】
また、光ピックアップ１は、第１及び第２のマグネット１３、１４の少なくとも一方のマグネット１４に他方のマグネット１３に対向する内面側のフォーカス方向Ｆの両端にテーパ部１４ｇ，１４ｈを形成するように構成することにより、レンズホルダ２がフォーカス方向Ｆに駆動され、レンズホルダ２が図９中矢印ｄ方向に円弧状に変位したときに、フォーカス方向Ｆにおいて、第２のマグネット１４と、各トラッキングコイル１１ａ〜１１ｄ及び各フォーカスコイル１２ａ，１２ｂとの間の距離の変動を低減することができ、これらのトラッキングコイル１１ａ〜１１ｄ及びフォーカスコイル１２ａ，１２ｂに対する磁界の強さの変化を低減して、これらの各コイルの駆動力の変動を抑えて、駆動力のバランスを適正な状態に保つことができ、これらの駆動力の変動により、特に発生しやすいピッチングＹｒｏ、ヨーイングＺｒｏ等の揺動動作を低減して、各方向の揺動動作による不要共振の発生を抑えてサーボ特性の劣化を抑えることを可能とする。
【００８７】
また、光ピックアップ１は、左右一対ずつの支持アーム６ａ〜６ｄを介してレンズホルダ２を支持した支持体３をベース８に対して傾動可能に支持する支持部材４と、支持部材４に傾動可能に支持された支持体３を光ディスク１０２の傾きに応じてタンジェンシャル方向Ｔｚを軸とした軸回り方向であるチルト方向に傾斜させる駆動手段５とを備える。
【００８８】
支持部材４は、図２及び図１５に示すように、帯状の板ばね材を折り曲げて形成したもので、支持体３に固定される支持体取付片４２と、支持体取付片４２の両端から延長された一対の脚片４１，４１とを備える。これら脚片４１，４１の先端部からは、支持部材４をベース８に取り付けるためのベース取付片４３，４３が設けられている。支持体取付片４２の中央には、貫通穴４２ａが設けられている。
【００８９】
駆動手段５は、支持体３の下面に取り付けられるチルト用のコイル５１と、このコイル５１に対向してベース８に取り付けられるチルト用の二極着磁マグネット５２とから構成される。二極着磁マグネット５２は、平板状に形成されており、ベース８上に接着剤等により固定されている。
【００９０】
支持部材４は、チルト用コイル５１が接合された取付部材５１ａに差し込まれることでチルト用コイル５１と一体化されるとともに、支持体取付片４２を支持体３の下面側に接合して固定ねじにより螺合されることにより支持体３に固定される。支持部材４は、支持体取付片４２上に支持体３を載置して固定されるとともに、ベース取付片４３，４３がベース８に固定されることにより、支持体３をベース８に対して傾動可能に支持する。
【００９１】
この支持部材４並びに上述した支持体３及び支持アーム６ａ〜６ｄは、レンズホルダ２をフォーカス方向Ｆ及びトラッキング方向Ｔに移動可能に支持する変位支持機構として機能する。
【００９２】
二極着磁マグネット５２は、図２及び図１５に示すように、第１及び第２の対物レンズ２１，２２のフォーカス方向Ｆ及びトラッキング方向Ｔに垂直なタンジェンシャル方向Ｔｚを分極線としてＮ極とＳ極が配置されるように固定される。また、支持部材４は、各脚片４１と支持体取付片４２との連結部とされている折り曲げ部及び各脚片４１とベース取付片４３との連結部とされている曲げ部が、タンジェンシャル方向Ｔｚと平行となるように固定される。さらに、支持部材４は、支持体３に対してガタが生じないように固定される。
【００９３】
また、支持部材４のベース取付片４３，４３にはそれぞれ貫通穴４３ａ，４３ａが設けられ、ベース８には、各貫通穴４３ａ，４３ａに挿通される図示しない固定ねじが螺合するねじ穴が設けられている。支持部材４は、ベース取付片４３，４３の貫通穴４３ａ，４３ａにそれぞれに固定ねじを挿通し、これら固定ねじをねじ穴に螺合することでベース８に固定される。これにより、支持体３は、支持部材４の一対の脚片４１，４１を介してベース８に支持される。
【００９４】
ところで、支持部材４を構成する一対の脚片４１，４１は、図１６に示すように、支持体取付片４２側からベース取付片４３，４３側に向かって間隔が広がるように傾斜して非平行に設けられている。そして、互いに傾斜された一対の脚片４１，４１は、支持体取付片４２上に支持された支持体３側に向かって延長した仮想線Ｌ１，Ｌ２の交点Ｏと同じ高さに対物レンズ２１，２２の重心の高さが略一致するように形成されている。したがって、支持部材４は、全体で台形状に形成されている。
【００９５】
また、二極着磁マグネット５２は、これら一対の脚片４１，４１の間でコイル５１と対向するようにしてベース８上に固定される。
【００９６】
そして、チルト用のコイル５１に駆動電流が供給されると、コイル５１に流れる電流と、二極着磁マグネット５２の磁界との作用により、二極着磁マグネット５２に対してコイル５１を動かす力、すなわち、ベース８に対して支持部材４及びこれに支持された支持体３を駆動する力が発生する。支持部材４は、板ばね等の弾性部材により形成され、一対の非平行な脚片４１，４１を有し、全体で台形状をなす支持部材４で支持されているので、駆動力を受けたとき、支持部材４の形状に倣ってその姿勢が可変される。
【００９７】
ところで、支持部材４は、ねじれに対しては剛性を持つように所定の幅を有する。そして、支持部材４は支持体取付片４２が支持体３に固定され、取付片４３がベース８に固定されることで、駆動力を受けたときに各脚片４１，４１が弓なりに弾性変形することができる。また、脚片４１，４１と支持体取付片４２との間の連結部となる折り曲げ部及び脚片４１，４１とベース取付片４３、４３との連結部となる折り曲げ部も弾性変形することができる。
【００９８】
次に、上述したような支持体３を駆動する駆動手段５を備えた光ピックアップ１の動作を説明する。
【００９９】
光ピックアップ１は、駆動手段５のコイル５１に給電がされていない状態では、図１６に示すように、支持部材４が変形することなく中立状態にある。このとき、支持部材４は、レンズホルダ２に支持された第１及び第２の対物レンズ２１，２２が水平となるように形状等が設定されている。
【０１００】
図１６に示す状態において、コイル５１に駆動電流が供給されると、二極着磁マグネット５２の磁界中のコイル５１に電流が流れることで、支持体３を二極着磁マグネット５２の延在方向であるトラッキング方向Ｔに沿って略水平方向に駆動する力が発生する。支持体３は、非平行な一対の脚片４１，４１を有する台形の支持部材４により支持されているので、駆動力を受けたとき、支持体３の姿勢が支持部材４の形状に倣って制御される。
【０１０１】
すなわち、支持体３を略水平方向に駆動する力が加わると、図１７に示すように、支持部材４の一方の脚片４１はベース８の平面に対する角度が小さくなる矢印ａ方向に弾性変形し、他方の脚片４１はベース８の平面に対する角度が大きくなる矢印ｂ方向に弾性変形する。これにより、支持体３は、図１７中矢印ｃ方向に傾く。このとき、支持体３は、図１６に示す中立状態にある一対の脚片４１，４１の延長線上の交点Ｏを中心として回転する。
【０１０２】
支持体３は、４本の支持アーム６ａ〜６ｄによりレンズホルダ２を支持しているので、支持体３が傾斜することで、レンズホルダ２が傾斜する、これにより、所定の制御信号に応じた駆動電流をコイル５１に供給することで、レンズホルダ２に支持された第１及び第２の対物レンズ２１，２２の光軸を、光ディスクの反り等に対応させて傾斜させるチルト角の制御を行うことができる。支持体３の傾斜の方向は、コイル５１に供給される駆動電流の向きで切り換えられる。また、支持体３の傾斜の角度は、コイル５１に供給される駆動電流電圧値により所定の角度に調整できる。
【０１０３】
上述したように、支持部材４を構成する互いに傾斜された一対の脚片４１，４１は、支持体取付片４２上に支持された支持体３側に向かって延長した仮想線Ｌ１，Ｌ２の交点Ｏと同じ高さに対物レンズ２１，２２の重心の高さとを略一致させてあるので、レンズホルダ２は、対物レンズ２１，２２の重心を通る軸を中心とした回転を行う。これにより、対物レンズ２１，２２が水平な状態と傾斜した状態とで、光軸はほぼ一致している。
【０１０４】
このように、駆動手段５は、チルト用のコイル５１に駆動電流を流すことで、支持体３をチルト方向に傾斜させる駆動力を支持体３に付与することができ、支持体３に支持されたレンズホルダ２及び対物レンズ２１，２２を傾斜させることができる。
【０１０５】
光ピックアップ１は、支持体３に対して駆動手段５から駆動力を付与すると、支持部材４の一対の脚片４１，４１が変位し、支持体３を傾動させることでレンズホルダ２が変位され、対物レンズ２１，２２を傾斜させることができ、したがって、光ディスクの反り等に応じて、対物レンズ２１，２２を傾けることができる。また、支持部材４で支持した支持体３を駆動するので、レンズホルダ２の構成を変更することなく、対物レンズ２１，２２を光ディスクの反り等に応じて傾ける構成を付加することができる。
【０１０６】
尚、上述した支持部材４を用いた構成では、支持体３は、正確に一点を中心とする回転動作を行っていない。このため、支持体３を傾斜させてレンズホルダ２を回転させると、第１及び第２の対物レンズ２１，２２はフォーカス方向及びトラッキング方向にも微小量移動する。このため、必要に応じてフォーカス補正やトラッキング補正を行う。また、レンズホルダ２を含む支持体３の傾斜による対物レンズ２１，２２の光軸に対する微小移動量を予め測定し、支持体３の傾斜量に応じてフォーカス補正及びトラッキング補正を行ってもよい。
【０１０７】
次に、レンズホルダ２を支持した支持体３を傾動させる制御系を図１８を参照して説明する。
【０１０８】
図１８は、光ピックアップ１の制御系を示すブロック図であり、図２及び図１５に示すコイル５１に供給する制御信号を得るため、例えば、光ディスク１０２の傾きを検出する検出装置としての傾き検出センサ５５を備える。そして、傾き検出センサ５５の出力に応じて、コイル駆動回路５６はコイル５１に制御信号を印加し、レンズホルダ２を光ディスク１０２の反り等によるディスク面の傾きに合わせて回転させる。尚、この動作は、光ディスク１０２がスピンドルモータ１０３に最初に装着されたときに行い、再生中等は、補正されたレンズホルダ２の傾きを維持する。ここでは、傾き補正を静的に行うようにしたが、後述するフォーカス制御及びトラッキング制御と同様に、チルト制御信号を常時検出し、このチルト制御信号に応じて記録・再生中に動的に傾き補正を行うようにしてもよい。
【０１０９】
また、光ディスクの傾きは、図示しない光検出器の出力にノイズとなって現れるため、傾き検出センサを用いず、光検出器の出力のノイズが少なくなる方向にレンズホルダ２を傾斜させるように駆動手段５を制御するような制御機能を持たせてもよい。
【０１１０】
以上のように、支持体３を駆動する駆動手段５を設けてレンズホルダ２を傾斜させる構成とすれば、光ディスクの傾斜を検出する手段を設けることで、個々の光ディスクの反り等に対応した量だけ第１及び第２の対物レンズ２１，２２を傾動させて、第１及び第２の対物レンズ２１，２２の光軸が光ディスクの面に対して垂直となるように補正できる。これにより、光ディスクの信号記録面に光ビームが集光されて形成される光スポットの形状を常に適正なものとできる。また、人手によりレンズホルダ２の傾きを調整する作業も不要となる。
【０１１１】
次に、レンズホルダ２のフォーカス制御及びトラッキング制御について説明する。フォーカスコイル１２ａ，１２ｂに再生信号から生成したフォーカス制御信号に応じた駆動電流が供給されると、フォーカスコイル１２ａ，１２ｂに流れる電流と、ヨーク１８及びヨーク片１８ａ，１８ａと、これらヨーク片１８ａ，１８ａに支持された第１及び第２のマグネット１３，１４とによって形成された磁界との作用により生ずる力で、レンズホルダ２を駆動電流の向きに応じて、第１及び第２の対物レンズ２１，２２の光軸方向と平行な上昇あるいは下降させる方向の力が生じる。レンズホルダ２は、４本の支持アーム６ａ〜６ｄの一端部に支持されているので、昇降する方向の力を受けると、スピンドルモータ１０３によって回転される光ディスク１０２に対して平行な姿勢を保ったまま上下に昇降する。これにより、対物レンズ２１，２２が光軸に沿った方向にフォーカス制御され、対物レンズ２１，２２からの光スポットが光ディスクのトラック上に合焦点される。
【０１１２】
また、トラッキングコイル１１ａ〜１１ｄに再生信号から生成したトラッキング制御信号に応じた駆動電流が供給されると、このコイル１１に流れる電流と、ヨーク１８及びヨーク片１８ａ，１８ａと、これらヨーク片１８ａ，１８ａに支持された第１及び第２のマグネット１３，１４とによって形成された磁界との作用により生ずる力で、レンズホルダ２を電流の向きに応じて、スピンドルモータ１０３によって回転される光ディスク１０２の内周方向、又は光ディスク１０２の外周方向へ移動させる力が生じる。レンズホルダ２は、４本の支持アーム６ａ〜６ｄの一端部に支持されているので、光ディスク１０２の平面と平行な方向に移動する方向の力を受けると、光ディスク１０２に形成された記録トラックの法線方向とほぼ平行な方向に移動変位する。これにより第１及び第２の対物レンズ２１，２２が光ディスク１０２の径方向に移動制御されるトラッキング制御が行われ、第１及び第２の対物レンズ２１，２２から出射された光ビームが所望の記録トラックをトレースすることができる。
【０１１３】
尚、このフォーカス制御及びトラッキング制御による反力が支持アーム６ａ〜６ｄを介して支持体３に伝わるが、支持部材４は、レンズホルダ２を移動させる力では変形しないように形成されている。
【０１１４】
以上のように構成された光ピックアップ１は、各トラッキングコイル１１ａ〜１１ｄ及び各フォーカスコイル１２ａ，１２ｂ並びに第１及び第２のマグネット１３，１４を備えることにより、支持アーム６ａ〜６ｄを弾性変位させて、レンズホルダ２に保持された対物レンズ２１，２２をフォーカス方向Ｆ及びトラッキング方向Ｔに駆動変位させることができる。
【０１１５】
また、光ピックアップ１は、チルト用コイル５１及び二極着磁マグネット５２を備えることにより、支持部材４を弾性変位させて、支持体３及びレンズホルダ２に保持された対物レンズ２１，２２をタンジェンシャル方向Ｔｚを軸とした軸回り方向であるチルト方向に駆動変位させることができる。
【０１１６】
また、光ピックアップ１は、２つの対物レンズ２１，２２を共通のレンズホルダ２に取り付けた場合においても、部品点数を増加することなくチルト角の調整が可能となり、複数の対物レンズ２１，２２を用いることによる可動部の重量化を抑え、対物レンズ２１，２２を少ない駆動電流により安定して駆動制御することができる。
【０１１７】
また、光ピックアップ１は、対物レンズ２１，２２を少ない駆動電流により安定して駆動制御することができる光ピックアップ１を用いた光ディスク装置は、省電力化を実現できるばかりか、フォーカスエラー信号、トラッキングエラー信号及びチルト制御信号に応じて対物レンズ２１，２２の正確に駆動変位することができ、情報信号の記録又は再生特性の向上を実現できる。
【０１１８】
ところで、光ピックアップ１において、レンズホルダ２のタンジェンシャル方向Ｔｚを軸とした軸回り方向に発生するローリングＸｒｏ、トラッキング方向Ｔを軸とした軸回り方向に発生するピッチングＹｒｏ、及びフォーカス方向Ｆを軸とした軸回り方向に発生するヨーイングＺｒｏ等の不要共振が発生すると、サーボ特性の劣化等が問題となる。
【０１１９】
この不要共振の発生する要因の一つとして、例えば、上述した図３０に示す従来の光ピックアップのような場合では、レンズホルダをフォーカス方向Ｆの下側に駆動したときに、図３１（ａ）及び図３１（ｂ）に示すように、レンズホルダに設けられたトラッキングコイル、所謂二極着磁マグネットのフォーカス方向に隣接する領域の分割位置の近傍に対向することにより、トラッキングコイルに対する磁界のバランス及び強さが変化してしまい、これらのトラッキングコイルによる駆動推力のバランスがくずれて、特に、ローリングＸｒｏ等の不要共振が発生するおそれがある。
【０１２０】
光ピックアップ１の第１のマグネット１３は、上述したように、第１乃至第６の分割領域１３ａ〜１３ｆを有していることにより、フォーカスコイル１２ａのための第１のマグネット１３のフォーカス方向に隣接する第１及び第４の分割領域１３ａ，１３ｄの分割位置（境界線）の近傍の第２及び第３の分割領域１３ｂ，１３ｃにおいても、この第２及び第３の分割領域と反対方向に着磁された第５及び第６の分割領域１３ｅ，１３ｆの存在により、図１９に示すように、レンズホルダ２がフォーカス方向Ｆの下側であるベース８側、すなわち、光ディスクから離間する側に駆動したときのトラッキングコイル１１ａ，１１ｂに対する磁界の強さ及び状態が変化することを防止できる。同様に、第２のマグネット１４は、第７乃至第１２の分割領域１４ａ〜１４ｆを有していることにより、フォーカスコイル１２ｂのための第２のマグネット１４のフォーカス方向に隣接する第７及び第１０の分割領域１４ａ，１４ｄの分割位置（境界線）の近傍の第８及び第９の分割領域１４ｂ，１４ｃにおいても、この第８及び第９の分割領域と反対方向に着磁された第１１及び第１２の分割領域１４ｅ，１４ｆの存在により、レンズホルダ２がフォーカス方向Ｆの下側であるベース８側に駆動したときのトラッキングコイル１１ｃ，１１ｄに対する磁界の強さ及び状態が変化することを防止できる。換言すると、上述のように六極着磁された第１及び第２のマグネット１３，１４は、レンズホルダ２がフォーカス方向Ｆに駆動した場合にも、各コイルに対して不均一な力を発生させることのない磁界を形成する。
【０１２１】
本発明を適用した光ピックアップ１は、第１乃至第６の分割領域を有する第１のマグネット１３と、第７乃至第１２の分割領域を有する第２のマグネット１４と、上述したように第１及び第２のマグネット１３，１４の所定の分割領域に対応した位置に配置されるトラッキングコイル及びフォーカスコイルとを構成したことにより、すなわち、フォーカスコイル１２ａ，１２ｂがレンズホルダ２の対向する側面に１つずつ設けられ、トラッキングコイル１１ａ〜１１ｄがこのフォーカスコイル１２ａ，１２ｂのトラッキング方向Ｔの両側に一対ずつ設けられ、これらの各コイルに対して六極着磁された第１及び第２のマグネット１３，１４が所望の磁界を形成することにより、フォーカスコイル１２ａ，１２ｂとトラッキングコイル１１ａ〜１１ｄとをフォーカス方向Ｆにおいて一部重複した位置に配置することを可能として、このフォーカスコイル及びトラッキングコイルを配置するためのレンズホルダ２のフォーカス方向Ｆの寸法を縮小することで、ピックアップ全体の薄型化及び小型化を実現するとともに、レンズホルダ２がフォーカス方向Ｆに駆動された場合にもトラッキングコイル１１ａ〜１１ｄに対する磁界の強さの変化を低減し、特にローリングＸｒｏ等の不要共振を低減させることができる。そして、光ピックアップ１は、不要共振による伝達関数の位相まわり、そしてサーボ応答の劣化等を防止することができ、光ディスクに対して情報信号の良好な記録及び／又は再生を行うことを可能とする。
【０１２２】
換言すると、光ピックアップ１は、対物レンズが取り付けられるレンズホルダ２と、レンズホルダ２をフォーカス方向及びトラッキング方向に移動可能に支持する支持部３と、レンズホルダ２のタンジェンシャル方向Ｔｚの両側面に設けられる一対のフォーカスコイル１２ａ，１２ｂと、レンズホルダ２のタンジェンシャル方向Ｔｚの両側面に設けられ、一対のフォーカスコイル１２ａ，１２ｂのそれぞれのトラッキング方向Ｔの両側に設けられる、それぞれ一対のトラッキングコイル１１ａ，１１ｂ，１１ｃ，１１ｄと、レンズホルダ２のタンジェンシャル方向Ｔｚの両側面に対向して配置され、それぞれ磁化方向をタンジェンシャル方向のいずれか一方に向けて着磁された第１及び第２のマグネット１３，１４とを備え、第１のマグネット１３が、一方のフォーカスコイル１２ａ及びこの一方のフォーカスコイル１２ａの両側に設けられる一対のトラッキングコイル１１ａ，１１ｂに対向する第１の磁極Ｎを有する領域１３ａと、第１の磁極Ｎを有する領域１３ａのトラッキング方向の両側に隣接して配置され、第１の磁極と反対方向の第２の磁極Ｓを有する領域１３ｂ，１３ｃと、第１の磁極を有する領域１３ａのフォーカス方向の一方に隣接して配置され、第２の磁極Ｓを有する領域１３ｄと、この領域１３ｄのトラッキング方向の両側に隣接して配置され、第１の磁極を有する領域１３ｅ，１３ｆとを有し、第２のマグネット１４が、他方のフォーカスコイル１２ｂ及びこの他方のフォーカスコイル１２ｂの両側に設けられる一対のトラッキングコイル１１ｃ，１１ｄに対向する第１の磁極Ｎを有する領域１４ａと、第１の磁極Ｎを有する領域１４ａのトラッキング方向の両側に隣接して配置され、第１の磁極と反対方向の第２の磁極Ｓを有する領域１４ｂ，１４ｃと、第１の磁極を有する領域１４ａのフォーカス方向の一方に隣接して配置され、第２の磁極Ｓを有する領域１４ｄと、この領域１４ｄのトラッキング方向の両側に隣接して配置され、第１の磁極を有する領域１４ｅ，１４ｆとを有することにより、ピックアップ全体の薄型化及び小型化を実現するとともに、レンズホルダ２がフォーカス方向Ｆに駆動された場合にもトラッキングコイル１１ａ〜１１ｄに対する磁界の強さの変化を低減し、特にローリングＸｒｏ等の不要共振を低減させることができ、不要共振による伝達関数の位相まわり、そしてサーボ応答の劣化等を防止することができ、光ディスクに対して情報信号の良好な記録及び／又は再生を行うことを可能とする。
【０１２３】
さらに、本発明を適用した光ピックアップ１は、第１及び第２のマグネット１３、１４の少なくとも一方のマグネット１４に他方のマグネット１３に対向する内面側のフォーカス方向Ｆの両端にテーパ部１４ｇ，１４ｈを形成するように構成したことにより、レンズホルダ２がフォーカス方向Ｆに駆動変位された場合に、フォーカスコイル及びトラッキングコイルに対して形成される磁界の強さの変化を低減し、特にピッチングＹｒｏ、ヨーイングＺｒｏ等の不要共振を低減させることができる。すなわち、レンズホルダ２がフォーカス方向に駆動した際には、レンズホルダ２が円弧状に移動することによりレンズホルダに設けられた各コイルと、支持体に近い側のマグネットとの間隔が狭くなり、レンズホルダに設けられた各コイルと、支持体に遠い側のマグネットとの間隔が広くなることにより、各コイルに対する磁界の強さの変化して例えば、ピッチングＹｒｏ、ヨーイングＺｒｏ等の不要共振が発生するおそれがあるが、テーパ部１４ｇ，１４ｈを形成するように構成した場合には、上述の磁界の強さの変化を低減して、不要共振を低減させることができる。そして、光ピックアップ１は、不要共振による伝達関数の位相まわり、そしてサーボ応答の劣化等を防止することができ、光ディスクに対して情報信号の良好な記録及び／又は再生を行うことを可能とする。
【０１２４】
また、本発明を適用した光ピックアップ１は、第１及び第２のマグネット１３，１４の第１乃至第６の分割領域１３ａ〜１３ｆ、第７乃至第１２の分割領域１４ａ〜１４ｆに対向して、第１乃至第４のトラッキングコイル１１ａ〜１１ｄ並びに第１及び第２のフォーカスコイル１２ａ，１２ｂを上述のように配置した構成により、小型化、薄型化を実現して最適なフォーカス方向Ｆ及びトラッキング方向Ｔの駆動力を発生させることができるとともに、一方のマグネット１４にテーパ部１４ｇ，１４ｈを形成するように構成したことにより、不要共振を低減することを可能とし、良好なサーボ特性を得ることができる。
【０１２５】
また、本発明を適用した光ピックアップ１は、レンズホルダ２を支持体３により支持し、この支持体３を支持部材４によりベース８に対して傾動可能に支持する構成を備えることにより、対物レンズ２１，２２をフォーカス方向Ｆ、トラッキング方向Ｔ及びチルト方向の３軸方向に駆動可能にするとともに、３軸方向に駆動可能な構成とすることにより発生するおそれがある不要共振を上述の構成により低減することを可能とし、良好なサーボ特性を得ることができる。
【０１２６】
ここで、上述したように配置されるトラッキングコイル及びフォーカスコイルと、六極着磁された第１及び第２のマグネット１３，１４Ａとを備えた光ピックアップの実験例を図２０の曲線ＬＴＸ１に示す。尚、ここでは、テーパ部を有さない第２のマグネット１４Ａを用いた場合の実験例について説明するが、上述のようにテーパ部を設けた第２のマグネット１４を用いた場合にも同様の効果が得られる。また、図２０には、これと比較するための比較例として、同様の構成のトラッキングコイル及びフォーカスコイルと、上述した図３１に示す二極着磁されたマグネットとを備えた光ピックアップの実験例を曲線ＬＴＸ２に示す。
【０１２７】
尚、図２０において、横軸は、フォーカス方向Ｆのストローク量（ＦＣＳストローク）（ｍｍ）であり、横軸のプラス側は、レンズホルダが光ディスクに近接する側であり、横軸のマイナス側は、レンズホルダが光ディスクから離間する側、すなわち、ベース８側であり、縦軸は、フォーカス方向Ｆのストローク量に対してレンズホルダ２に発生するタンジェンシャル方向Ｔｚを軸とした軸回りのモーメントのトルクの変動を示すものである。
【０１２８】
図２０に示すように、比較例では、レンズホルダ２がベース側８に駆動されて、ＦＣＳストロークのマイナス側となったときに、大きくトルクが変動するのに対し、本発明を適用した光ピックアップの実験例では、ＦＣＳストロークのマイナス側となったときにも、トルクの変動を小さくすることができ、すなわち、レンズホルダ２に発生するタンジェンシャル方向Ｔｚを軸とした軸回り方向に発生するモーメントを低減することができる。特にＦＣＳストローク＝−１．０７においては、比較例に対する本発明を適用した光ピックアップの実験例のモーメントが１／５以下になり、効果が大きい。これにより、フォーカス方向にシフトしたときにも、光ピックアップを安定に制御することが可能になる。
【０１２９】
このように、本発明を適用した光ピックアップ１では、六極着磁された第１及び第２のマグネットと、この各分割領域に対応した位置に配置されるトラッキングコイル及びフォーカスコイルとを構成したことにより、ピックアップ全体の薄型化及び小型化を実現するとともに、ローリングＸｒｏを低減させることができ、良好なサーボ特性を得ることができる。
【０１３０】
尚、上述では、第１及び／又は第２のマグネットの対向する内面側のフォーカス方向Ｆの両端にテーパ部を設けるように構成したが、第１及び第２のマグネットの少なくとも一方が、他方に対向する内面側のトラッキング方向Ｔの両端にテーパ部を有するように構成してもよい。
【０１３１】
すなわち、図２１に示すように、レンズホルダ２に対してタンジェンシャル方向Ｔｚに対向して配置され、上述した第１のマグネット１３と同じ着磁パターンを有し、且つ第２のマグネット１４Ｆに対向する内面側のトラッキング方向Ｔの両端に設けられる第１及び第２のテーパ部１３Ｆ１，１３Ｆ２と、この第１及び第２のテーパ部１３Ｆ１，１３Ｆ２のトラッキング方向Ｔの間に設けられる平坦部１３Ｆ３とを有する第１のマグネット１３Ｆと、レンズホルダ２に対してこの第１のマグネット１３Ｆと反対側にタンジェンシャル方向Ｔｚに対向して配置され、上述した第２のマグネット１４と同じ着磁パターンを有し、且つフォーカス方向の両端にテーパ部が設けられておらず、第１のマグネット１３Ｆに対向する内面側のトラッキング方向Ｔの両端に設けられる第１及び第２のテーパ部１４Ｆ１，１４Ｆ２と、この第１及び第２のテーパ部１４Ｆ１，１４Ｆ２のトラッキング方向Ｔの間に設けられる平坦部１４Ｆ３とを有する第２のマグネット１４Ｆとを、上述した第１及び第２のマグネット１３，１４と同様に、各ヨーク片１８ａ，１８ｂに取り付けるように構成してもよい。
【０１３２】
図２１に示すように、第１及び第２のマグネット１３Ｆ，１４Ｆに、テーパ部１３Ｆ１，１３Ｆ２，１４Ｆ１，１４Ｆ２を設けるように構成することで、トラッキング方向Ｔに駆動され、レンズホルダ２が図２１中矢印ｅ方向に円弧状に駆動変位された際にも、第１及び第２のトラッキングコイル１１ａ，１１ｂと、第１のマグネット１３Ｆの内面との距離の変動を抑えることができ、すなわち、第１のマグネット１３Ｆの各分割領域により形成される磁界のこれらの各コイル１１ａ，１１ｂに対しての影響の変化を抑えることができ、また、第３及び第４のトラッキングコイル１１ｃ，１１ｄと、第２のマグネット１３Ｆの内面との距離の変動を抑えることができ、すなわち、第２のマグネット１４Ｆの各分割領域により形成される磁界のこれらの各コイル１１ｃ，１１ｄに対しての影響の変化を抑えることができ、よって、これらの各コイル１１ａ〜１１ｄによるトラッキング方向Ｔの駆動力が変動してしまうことを防止できる。ここで、テーパ部１３Ｆ１，１３Ｆ２は、レンズホルダ２の対向する側面及びこの側面に配置される各コイル１１ａ，１１ｂに近接する方向に向けて傾斜して形成され、テーパ部１４Ｆ１，１４Ｆ２は、レンズホルダ２の対向する側面及びこの側面に配置される各コイル１１ｃ，１１ｄから離間する方向に向けて傾斜して形成される。
【０１３３】
このように、支持部側から離間する側のマグネット１３Ｆに、この近接する方向に向けて傾斜したテーパ部１３Ｆ１，１３Ｆ２を形成することにより、レンズホルダ２がトラッキング方向Ｔに駆動変位された際にも、各コイル１１ａ，１１ｂ，１２ａとマグネット１３Ｆとの間隔の変動を抑えることができ、各コイル１１ａ，１１ｂ，１２ａに対して形成される磁界の強さの変化を低減できる。また、支持部側のマグネット１４Ｆに、この離間する方向に向けて傾斜したテーパ部１４Ｆ１，１４Ｆ２を形成することにより、レンズホルダ２がトラッキング方向Ｔに駆動変位された際にも、各コイル１１ｃ，１１ｄ，１２ｂとマグネット１４Ｆとの間隔の変動を抑えることができ、各コイル１１ｃ，１１ｄ，１２ｂに対して形成される磁界の強さの変化を低減できる。
【０１３４】
テーパ部を有する第１及び第２のマグネット１３Ｆ，１４Ｆを備える光ピックアップ１は、第１及び第２のマグネット１３Ｆ，１４Ｆの互いに対向する内面側のトラッキング方向Ｔの両端にテーパ部を形成するように構成したことにより、レンズホルダ２がトラッキング方向Ｔに駆動変位された場合に、フォーカスコイル及びトラッキングコイルに対して形成される磁界の強さの変化を低減し、ローリングＸｒｏ、ピッチングＹｒｏ、ヨーイングＺｒｏ等の不要共振を低減させることができる。そして、光ピックアップ１は、不要共振による伝達関数の位相まわり、そしてサーボ応答の劣化等を防止することができ、光ディスクに対して情報信号の良好な記録及び／又は再生を行うことを可能とする。
【０１３５】
尚、ここでは、第１及び第２のマグネット１３Ｆ，１４Ｆのトラッキング方向Ｔの両端にテーパ部を設けるように構成した例について説明したが、第１及び第２のマグネット１３Ｆ，１４Ｆのいずれか一方であってもよい。
【０１３６】
また、上述では、フォーカス方向Ｆの両端にテーパ部を設けるように構成したマグネット、及びトラッキング方向Ｔの両端にテーパ部を設けるように構成したマグネットについて説明したが、第１及び第２のマグネットの一方又は両方の対向する内面側に、フォーカス方向Ｆの両端に設けられるテーパ部と、トラッキング方向Ｔの両端に設けられるテーパ部とを有するように構成してもよい。フォーカス方向Ｆ及びトラッキング方向Ｔの両端にテーパ部を形成するように構成した光ピックアップは、レンズホルダ２がフォーカス方向Ｆ及びトラッキング方向Ｔに駆動変位された場合に、フォーカスコイル及びトラッキングコイルに対して形成される磁界の強さの変化をさらに低減し、ローリングＸｒｏ、ピッチングＹｒｏ、ヨーイングＺｒｏ等の不要共振を低減させることができる。そして、このような光ピックアップは、不要共振による伝達関数の位相まわり、そしてサーボ応答の劣化等を防止することができ、光ディスクに対して情報信号の良好な記録及び／又は再生を行うことを可能とする。
【０１３７】
また、上述の光ピックアップ１において、第１のマグネット１３と、レンズホルダ２に設けられた各コイル１１ａ，１１ｂ，１２ａとのタンジェンシャル方向の間隔、及び／又は、第２のマグネット１４と、レンズホルダ２に設けられた各コイル１１ｃ，１１ｄ，１２ｂとの間隔、すなわち、それぞれの磁気ギャップを調整するために、いずれか一方のマグネットをタンジェンシャル方向に移動させる位置調整機構を設けるように構成してもよい。位置調整機構を有する光ピックアップ１は、各コイル１１ａ〜１１ｄ，１２ａ，１２ｂに対して形成される磁界の強さを制御するができ、各方向の不要共振をさらに低減させることができる。
【０１３８】
また、上述では、第１及び第２のマグネットとして、図７及び図８に示すような着磁パターンを有するものを用いたが、光ピックアップ１の第１及び第２のマグネットとして、図２２、図２３及び図２４に示す第１及び第２のマグネット６３，６４のように構成してもよい。
【０１３９】
第１及び第２のマグネット６３，６４は、図２２に示すように、上述した図２に示す上第１及び第２のマグネット１３，１４と同様に、各ヨーク片１８ａ，１８ｂの相対向する面に取り付けられており、すなわち、レンズホルダ２を挟んで相対向して配置されている。ここで、第１のマグネット６３は、可動部側すなわちレンズホルダ２の先端側に配置され、第２のマグネット６４は、固定部側すなわち支持体３側に配置されている。
【０１４０】
第１のマグネット６３は、図２２及び図２３に示すように、レンズホルダ２に対してタンジェンシャル方向Ｔｚに対向して配置され、それぞれの領域内で磁化方向をタンジェンシャル方向Ｔｚのいずれか一方に向けて着磁された第１乃至第６の分割領域６３ａ〜６３ｆを有する。
【０１４１】
第２のマグネット６４は、図２２及び図２４に示すように、レンズホルダ２に対して第１のマグネット６３と反対側にタンジェンシャル方向Ｔｚに対向して配置され、それぞれの領域内で磁化方向をタンジェンシャル方向のいずれか一方に向けて着磁された第７乃至第１２の分割領域６４ａ〜６４ｆを有する。
【０１４２】
ここで、第１及び第２のマグネット６３，６４の着磁パターンについて説明する。
【０１４３】
まず、図２３に示すように、第１のマグネット６３の第１の分割領域６３ａは、フォーカス方向Ｆの一端側の部分６３ａ１のトラッキング方向Ｔの寸法が徐々に拡大されるように形成され、そのレンズホルダ２側の面がＮ極となるように着磁されている。すなわち、第１の分割領域６３ａは、上側、すなわち後述する第４の分割領域６３ｄと隣接する側と反対側のフォーカス方向Ｆの一端側の部分６３ａ１がトラッキング方向の寸法Ｔが徐々に拡大される所謂台形状に形成されるとともに、その他の部分６３ａ２がトラッキング方向Ｔの寸法が等しくされる所謂矩形状に形成される。また、第１の分割領域６３ａは、後述する第２のマグネット６４の第７の分割領域６４ａに対向する領域である。
【０１４４】
尚、ここでは、フォーカス方向Ｆの一端側の部分６３ａ１のトラッキング方向Ｔの寸法が拡大されるように形成したが、これに限られるものではなく、フォーカス方向Ｆの一端側又は他端側の部分のトラッキング方向Ｔの寸法が徐々に拡大又は縮小されるように形成してもよい。
【０１４５】
第２及び第３の分割領域６３ｂ，６３ｃは、第１の分割領域６３ａのトラッキング方向Ｔの両側に隣接して配置され、第１の分割領域６３ａと反対方向に着磁され、すなわち、そのレンズホルダ２側の面がＳ極となるように着磁されている。
【０１４６】
第４の分割領域６３ｄは、第１の分割領域６３ａのフォーカス方向Ｆに隣接して配置され、第１の分割領域６３ａと反対方向に着磁され、すなわち、そのレンズホルダ２側の面がＳ極となるように着磁されている。
【０１４７】
第５及び第６の分割領域６３ｅ，６３ｆは、第４の分割領域６３ｄのトラッキング方向Ｔの両側に隣接して配置され、第４の分割領域６３ｄと反対方向に着磁され、すなわち、そのレンズホルダ２側の面がＮ極となるように着磁されている。
【０１４８】
尚、上述した、第１のマグネット６３の第１乃至第６の分割領域６３ａ〜６３ｆのＳ極、Ｎ極は、逆であってもよい。
【０１４９】
次に、図２４に示すように、第２のマグネット６４の第７の分割領域６４ａは、フォーカス方向Ｆの一端側の部分６４ａ１のトラッキング方向Ｔの寸法が徐々に縮小されるように形成され、そのレンズホルダ２側の面がＮ極となるように着磁されている。すなわち、第７の分割領域６４ａは、上側、すなわち後述する第１０の分割領域６４ｄと隣接する側と反対側のフォーカス方向Ｆの一端側の部分６４ａ１がトラッキング方向の寸法Ｔが徐々に縮小される所謂台形状に形成されるとともに、その他の部分６４ａ２がトラッキング方向Ｔの寸法が等しくされる所謂矩形状に形成される。また、第７の分割領域６４ａは、第１のマグネット６３の第１の分割領域６３ａに対向する領域である。
【０１５０】
尚、ここでは、フォーカス方向の一端側の部分のトラッキング方向の寸法が縮小されるように形成したが、これに限られるものではなく、フォーカス方向の一端側又は他端側の部分のトラッキング方向の寸法が徐々に拡大又は縮小されるように形成してもよい。
【０１５１】
第８及び第９の分割領域６４ｂ，６４ｃは、第７の分割領域６４ａのトラッキング方向Ｔの両側に隣接して配置され、第７の分割領域６４ａと反対方向に着磁され、すなわち、そのレンズホルダ２側の面がＳ極となるように着磁されている。また、第８の分割領域６４ｂは、第１のマグネット６３の第２の分割領域６３ｂに対向する領域であり、第９の分割領域６４ｃは、第１のマグネット６３の第３の分割領域６３ｃに対向する領域である。
【０１５２】
第１０の分割領域６４ｄは、第７の分割領域６４ａのフォーカス方向Ｆに隣接して配置され、第７の分割領域６４ａと反対方向に着磁され、すなわち、そのレンズホルダ２側の面がＳ極となるように着磁されている。また、第１０の分割領域６４ｄは、第１のマグネット６３の第４の分割領域６３ｄに対向する領域である。
【０１５３】
第１１及び第１２の分割領域６４ｅ，６４ｆは、第１０の分割領域６４ｄのトラッキング方向Ｔの両側に隣接して配置され、第１０の分割領域６４ｄと反対方向に着磁され、すなわち、そのレンズホルダ２側の面がＮ極となるように着磁されている。また、第１１の分割領域６４ｅは、第１のマグネット６３の第５の分割領域６３ｅに対向する領域であり、第１２の分割領域６４ｆは、第１のマグネット６３の第６の分割領域６３ｆに対向する領域である。
【０１５４】
尚、上述した、第２のマグネット６４の第７乃至第１２の分割領域６４ａ〜６４ｆのＳ極、Ｎ極は、逆であってもよい。
【０１５５】
以上のように構成された第１及び第２のマグネット６３，６４を備えた光ピックアップ１は、上述した第１及び第２のマグネット１３，１４を備える場合と同様に、第１乃至第６の分割領域６３ａ〜６３ｆ、第７乃至第１２の分割領域６４ａ〜６４ｆを有する第１及び第２のマグネット６３，６４と、上述のように配置される第１乃至第４のトラッキングコイル１１ａ〜１１ｄ並びに第１及び第２のフォーカスコイル１２ａ，１２ｂとにより、小型化、薄型化を実現して最適なフォーカス方向Ｆ及びトラッキング方向Ｔの駆動力を発生させることができるとともに、不要共振を低減し、良好なサーボ特性を得ることができる。
【０１５６】
また、第１のマグネット６３の第１の分割領域６３ａのフォーカス方向の一端側の部分６３ａ１が、トラッキング方向の寸法が徐々に拡大されるように形成するように構成することで、レンズホルダ２が図２２中矢印ｄ方向に円弧状に駆動変位された際にも、第１のマグネット６３の各分割領域６３ａ〜６３ｆにより形成される磁界の第１及び第２のトラッキングコイル１１ａ，１１ｂに対しての影響の変化を抑えることができ、これらの各コイル１１ａ，１１ｂによるトラッキング方向Ｔの駆動力が変動してしまうことを防止することができる。
【０１５７】
上述のように、第１の分割領域６３ａのフォーカス方向Ｆの一端側の部分６３ａ１のトラッキング方向Ｔの寸法が徐々に拡大されるように形成された第１のマグネット６３を備える光ピックアップ１は、レンズホルダ２がフォーカス方向Ｆに駆動変位された場合に、トラッキングコイル１１ａ，１１ｂに対して形成される磁界の強さの変化を低減し、特にヨーイングＺｒｏ等の不要共振を低減させることができる。そして、光ピックアップ１は、不要共振による伝達関数の位相まわり、そしてサーボ応答の劣化等を防止することができ、光ディスクに対して情報信号の良好な記録及び／又は再生を行うことを可能とする。
【０１５８】
また、第２のマグネット６４の第７の分割領域６４ａのフォーカス方向の一端側の部分６４ａ１が、トラッキング方向の寸法が徐々に縮小されるように形成するように構成することで、レンズホルダ２が図２２中矢印ｄ方向に円弧状に駆動変位された際にも、第２のマグネット６４の各分割領域６４ａ〜６４ｆにより形成される磁界の第３及び第４のトラッキングコイル１１ｃ，１１ｄに対しての影響の変化を抑えることができ、これらの各コイル１１ｃ，１１ｄによるトラッキング方向Ｔの駆動力が変動してしまうことを防止することができる。
【０１５９】
上述のように、第７の分割領域６４ａのフォーカス方向Ｆの一端側の部分６４ａ１のトラッキング方向Ｔの寸法が徐々に縮小されるように形成された第２のマグネット６４を備える光ピックアップ１は、レンズホルダ２がフォーカス方向Ｆに駆動変位された場合に、トラッキングコイル１１ｃ，１１ｄに対して形成される磁界の強さの変化を低減し、特にヨーイングＺｒｏ等の不要共振を低減させることができる。そして、光ピックアップ１は、不要共振による伝達関数の位相まわり、そしてサーボ応答の劣化等を防止することができ、光ディスクに対して情報信号の良好な記録及び／又は再生を行うことを可能とする。
【０１６０】
尚、上述のような第１乃至第６の分割領域６３ａ〜６３ｆを有する第１のマグネット６３及び第７乃至第１２の分割領域６４ａ〜６４ｆを有する第２のマグネット６４においても、上述の図１１及び図１２に示すマグネット１３Ａ及び図８乃至図１０に示すマグネット１４と同様に、テーパ部を設けるように構成してもよい。
【０１６１】
例えば、光ピックアップ１の第１のマグネットとして、図２５に示す第１のマグネット６３Ａのように構成してもよい。
【０１６２】
第１のマグネット６３Ａは、図２２に示す上述した第１のマグネット６３と同様に、レンズホルダ２に対して第２のマグネット６４と反対側にタンジェンシャル方向Ｔｚに対向して配置されている。この第１のマグネット６３Ａは、図２５（ｂ）に示すように、上述した第１のマグネット６３と同じ着磁パターンを有し、すなわち、第１乃至第６の分割領域６３ａ〜６３ｆを有し、且つ、図２５（ａ）に示すように、第２のマグネット６４と対向する内面側のフォーカス方向Ｆの両端に設けられる第１及び第２のテーパ部６３ｇ，６３ｈと、この第１及び第２のテーパ部６３ｇ，６３ｈのフォーカス方向Ｆの間に設けられる平坦部６３ｉとを有する。
【０１６３】
このテーパ部６３ｇ，６３ｈを有するマグネット６３Ａを備えた光ピックアップ１は、第１のマグネット６３Ａに第１及び第２のテーパ部６３ｇ，６３ｈを設けることで、フォーカス方向Ｆに駆動され、レンズホルダ２が図２２中矢印ｄ方向に円弧状に駆動変位された際にも、第１及び第２のトラッキングコイル１１ａ，１１ｂ並びに第１のフォーカスコイル１２ａと、第１のマグネット６３Ａの内面との距離の変動を抑えることができ、すなわち、第１のマグネット６３Ａの各分割領域６３ａ〜６３ｆにより形成される磁界のこれらの各コイル１１ａ，１１ｂ，１２ａに対しての影響の変化を抑えることができ、これらの各コイル１１ａ，１１ｂ，１２ａによるフォーカス方向Ｆ及びトラッキング方向Ｔの駆動力が変動してしまうことを防止することができる。ここで、第１及び第２のテーパ部６３ｇ，６３ｈは、レンズホルダ２の対向する側面及びこの側面に配置される各コイル１１ａ，１１ｂ，１２ａから離間する方向に向けて傾斜して形成される。換言すると、テーパ部６３ｇと、テーパ部６３ｈとの間の平坦部６３ｉが凹状に形成されるように構成される。そして、可動部側のマグネット６３Ａに、この近接する方向に向けて傾斜したテーパ部６３ｇ，６３ｈを形成することにより、レンズホルダ２が円弧状に駆動変位された際にも、各コイル１１ａ，１１ｂ，１２ａとマグネット６３Ａとの間隔の変動を抑えることができ、各コイル１１ａ，１１ｂ，１２ａに対して形成される磁界の強さの変化を低減できる。
【０１６４】
さらに、第１の分割領域６３ａのフォーカス方向Ｆの一端側の部分６３ａ１のトラッキング方向Ｔの寸法が徐々に拡大されるように形成されたマグネット６３Ａを備えた光ピックアップ１は、レンズホルダ２がフォーカス方向Ｆに駆動変位された場合に、フォーカスコイル１２ａ及びトラッキングコイル１１ａ，１１ｂに対して形成される磁界の強さの変化を低減し、特にピッチングＹｒｏ、ヨーイングＺｒｏ等の不要共振を低減させることができる。そして、光ピックアップ１は、不要共振による伝達関数の位相まわり、そしてサーボ応答の劣化等を防止することができ、光ディスクに対して情報信号の良好な記録及び／又は再生を行うことを可能とする。
【０１６５】
以上のように、第１のマグネット６３Ａを備える光ピックアップ１は、テーパ部６３ｇ，６３ｈを設ける構成、及び、第１の分割領域６３ａのフォーカス方向Ｆの一端側の部分６３ａ１のトラッキング方向Ｔの寸法が徐々に拡大されるように形成される構成により、レンズホルダ２がフォーカス方向Ｆに駆動変位された際にも、ピッチングＹｒｏ、ヨーイングＺｒｏ等の不要共振の発生をさらに低減させることができ、サーボ応答の劣化等を防止することができる。
【０１６６】
また、第１のマグネット６３Ａを備えた光ピックアップ１は、上述した第１及び第２のマグネット１３，１４を備える場合と同様に、第１乃至第６の分割領域６３ａ〜６３ｆを有する第１のマグネット６３Ａと、上述のように配置される各コイル１１ａ〜１１ｄ，１２ａ，１２ｂとにより、小型化、薄型化を実現して最適なフォーカス方向Ｆ及びトラッキング方向Ｔの駆動力を発生させることができるとともに、不要共振を低減し、良好なサーボ特性を得ることができる。
【０１６７】
尚、上述のマグネット６３，６４，６３Ａでは、第１又は第７の分割領域６３ａ，６４ａのフォーカス方向Ｆの一端側の部分６３ａ１，６４ａ１のトラッキング方向Ｔの寸法が拡大又は縮小されるように形成したが、これに限られるものではなく、フォーカス方向Ｆの他端側の部分のトラッキング方向の寸法が拡大又は縮小されるように形成してもよい。
【０１６８】
すなわち、光ピックアップ１の第２のマグネットとして、図２６に示す第２のマグネット７４のように構成してもよい。
【０１６９】
第２のマグネット７４は、図２に示す上述した第２のマグネット１４と同様に、レンズホルダ２に対して第１のマグネット１３と反対側にタンジェンシャル方向Ｔｚに対向して配置されている。この第２のマグネット７４は、図２６に示すように、それぞれの領域内で磁化方向をタンジェンシャル方向Ｔｚのいずれか一方に向けて着磁された第７乃至第１２の分割領域７４ａ〜７４ｆを有している。
【０１７０】
すなわち、図２６に示すように、第２のマグネット７４の第７の分割領域７４ａは、フォーカス方向Ｆの他端側の部分７４ａ１のトラッキング方向Ｔの寸法が徐々に拡大されるように形成され、そのレンズホルダ２側の面がＮ極となるように着磁されている。すなわち、第７の分割領域７４ａは、下側、すなわち後述する第１０の分割領域７４ｄと隣接する側のフォーカス方向Ｆの他端側の部分７４ａ１がトラッキング方向Ｔの寸法が徐々に拡大される所謂台形状に形成されるとともに、その他の部分７４ａ２がトラッキング方向Ｔの寸法が等しくされる所謂矩形状に形成される。また、第７の分割領域７４ａは、第１のマグネット１３の第１の分割領域１３ａに対向する領域である。
【０１７１】
尚、ここでは、フォーカス方向の他端側の部分のトラッキング方向の寸法が拡大されるように形成したが、これに限られるものではなく、フォーカス方向の一端側又は他端側の部分のトラッキング方向の寸法が徐々に拡大又は縮小されるように形成してもよい。
【０１７２】
第８及び第９の分割領域７４ｂ，７４ｃは、第７の分割領域７４ａのトラッキング方向Ｔの両側に隣接して配置され、第７の分割領域７４ａと反対方向に着磁され、すなわち、そのレンズホルダ２側の面がＳ極となるように着磁されている。
【０１７３】
第１０の分割領域７４ｄは、第７の分割領域７４ａのフォーカス方向Ｆに隣接して配置され、第７の分割領域７４ａと反対方向に着磁され、すなわち、そのレンズホルダ２側の面がＳ極となるように着磁されている。
【０１７４】
第１１及び第１２の分割領域７４ｅ，７４ｆは、第１０の分割領域７４ｄのトラッキング方向Ｔの両側に隣接して配置され、第１０の分割領域７４ｄと反対方向に着磁され、すなわち、そのレンズホルダ２側の面がＮ極となるように着磁されている。
【０１７５】
以上のように構成された第２のマグネット７４を備えた光ピックアップ１は、上述した第１及び第２のマグネット１３，１４を備える場合と同様に、第７乃至第１２の分割領域７４ａ〜７４ｆを有する第２のマグネット７４と、上述のように配置される各コイル１１ａ〜１１ｄ，１２ａ，１２ｂとにより、小型化、薄型化を実現して最適なフォーカス方向Ｆ及びトラッキング方向Ｔの駆動力を発生させることができるとともに、不要共振を低減し、良好なサーボ特性を得ることができる。
【０１７６】
また、第２のマグネット７４の第７の分割領域７４ａのフォーカス方向の他端側の部分７４ａ１が、トラッキング方向の寸法が徐々に拡大されるように形成するように構成することで、レンズホルダ２が図９中矢印ｄ方向に円弧状に駆動変位された際にも、第２のマグネット７４の各分割領域７４ａ〜７４ｆにより形成される磁界の第３及び第４のトラッキングコイル１１ｃ，１１ｄに対しての影響の変化を抑えることができ、これらの各コイル１１ｃ，１１ｄによるトラッキング方向Ｔの駆動力が変動してしまうことを防止することができる。
【０１７７】
上述のように、第７の分割領域７４ａのフォーカス方向Ｆの他端側の部分７４ａ１のトラッキング方向Ｔの寸法が徐々に拡大されるように形成された第２のマグネット７４を備える光ピックアップ１は、レンズホルダ２がフォーカス方向Ｆに駆動変位された場合に、トラッキングコイル１１ｃ，１１ｄに対して形成される磁界の強さの変化を低減し、特にヨーイングＺｒｏ等の不要共振を低減させることができる。そして、光ピックアップ１は、不要共振による伝達関数の位相まわり、そしてサーボ応答の劣化等を防止することができ、光ディスクに対して情報信号の良好な記録及び／又は再生を行うことを可能とする。
【０１７８】
尚、上述のような第７乃至第１２の分割領域７４ａ〜７４ｆを有する第２のマグネット７４においても、上述の図８乃至図１０に示すマグネット１４と同様に、テーパ部を設けるように構成してもよい。
【０１７９】
すなわち、光ピックアップ１の第２のマグネットとして、図２７に示す第２のマグネット７４Ａのように構成してもよい。
【０１８０】
第２のマグネット７４Ａは、図２に示す上述した第２のマグネット１４と同様に、レンズホルダ２に対して第１のマグネット１３と反対側にタンジェンシャル方向Ｔｚに対向して配置されている。この第２のマグネット７４Ａは、図２７（ａ）に示すように、上述した第２のマグネット７４と同じ着磁パターンを有し、すなわち、第７乃至第１２の分割領域７４ａ〜７４ｆを有し、且つ、図２７（ｂ）に示すように、第１のマグネット１３と対向する内面側のフォーカス方向Ｆの両端に設けられる第１及び第２のテーパ部７４ｇ，７４ｈと、この第１及び第２のテーパ部７４ｇ，７４ｈのフォーカス方向Ｆの間に設けられる平坦部７４ｉとを有する。
【０１８１】
このテーパ部７４ｇ，７４ｈを有するマグネット７４Ａを備えた光ピックアップ１は、第２のマグネット７４Ａに第１及び第２のテーパ部７４ｇ，７４ｈを設けることで、フォーカス方向Ｆに駆動され、レンズホルダ２が図９中矢印ｄ方向に円弧状に駆動変位された際にも、第３及び第４のトラッキングコイル１１ｃ，１１ｄ並びに第２のフォーカスコイル１２ｂと、第２のマグネット７４Ａの内面との距離の変動を抑えることができ、すなわち、第２のマグネット７４Ａの各分割領域７４ａ〜７４ｆにより形成される磁界のこれらの各コイル１１ｃ，１１ｄ，１２ｂに対しての影響の変化を抑えることができ、これらの各コイル１１ｃ，１１ｄ，１２ｂによるフォーカス方向Ｆ及びトラッキング方向Ｔの駆動力が変動してしまうことを防止することができる。ここで、第１及び第２のテーパ部７４ｇ，７４ｈは、レンズホルダ２の対向する側面及びこの側面に配置される各コイル１１ｃ，１１ｄ，１２ｂから離間する方向に向けて傾斜して形成される。換言すると、テーパ部７４ｇと、テーパ部７４ｈとの間の平坦部７４ｉが突状に形成されるように構成される。そして、支持部側のマグネット７４Ａに、この離間する方向に向けて傾斜したテーパ部７４ｇ，７４ｈを形成することにより、レンズホルダ２が円弧状に駆動変位された際にも、各コイル１１ｃ，１１ｄ，１２ｂとマグネット７４Ａとの間隔の変動を抑えることができ、各コイル１１ｃ，１１ｄ，１２ｂに対して形成される磁界の強さの変化を低減できる。
【０１８２】
さらに、第７の分割領域７４ａのフォーカス方向Ｆの他端側の部分７４ａ１のトラッキング方向Ｔの寸法が徐々に拡大されるように形成されたマグネット７４Ａを備えた光ピックアップ１は、レンズホルダ２がフォーカス方向Ｆに駆動変位された場合に、フォーカスコイル１２ｂ及びトラッキングコイル１１ｃ，１１ｄに対して形成される磁界の強さの変化を低減し、特にピッチングＹｒｏ、ヨーイングＺｒｏ等の不要共振を低減させることができる。そして、光ピックアップ１は、不要共振による伝達関数の位相まわり、そしてサーボ応答の劣化等を防止することができ、光ディスクに対して情報信号の良好な記録及び／又は再生を行うことを可能とする。
【０１８３】
以上のように、第２のマグネット７４Ａを備える光ピックアップ１は、テーパ部７４ｇ，７４ｈを設ける構成、及び、第７の分割領域７４ａのフォーカス方向Ｆの他端側の部分７４ａ１のトラッキング方向Ｔの寸法が徐々に拡大されるように形成される構成により、レンズホルダ２がフォーカス方向Ｆに駆動変位された際にも、ピッチングＹｒｏ、ヨーイングＺｒｏ等の不要共振の発生をさらに低減させることができ、サーボ応答の劣化等を防止することができる。
【０１８４】
また、第２のマグネット７４Ａを備えた光ピックアップは、上述した第１及び第２のマグネット１３，１４を備える場合と同様に、第７乃至第１２の分割領域７４ａ〜７４ｆを有する第２のマグネット７４Ａと、上述のように配置される各コイル１１ａ〜１１ｄ，１２ａ，１２ｂとにより、小型化、薄型化を実現して最適なフォーカス方向Ｆ及びトラッキング方向Ｔの駆動力を発生させることができるとともに、不要共振を低減し、良好なサーボ特性を得ることができる。
【０１８５】
尚、上述の図２３乃至図２７に示すような着磁パターンを有する第１及び第２のマグネット６３，６４，６３Ａ，７４，７４Ａにおいても、上述の図２１に示すマグネット１３Ｆ，１４Ｆと同様に、他方のマグネットに対向する内面側のトラッキング方向Ｔの両端にテーパ部を設けるように構成してもよい。
【０１８６】
また、光ピックアップ１の第２のマグネットとして、図２８に示す第２のマグネット８４のように構成してもよい。
【０１８７】
すなわち、第２のマグネット８４は、図２に示す上述した第２のマグネット１４と同様に、レンズホルダ２に対して第１のマグネット１３と反対側にタンジェンシャル方向Ｔｚに対向して配置されている。この第２のマグネット７４は、図２８に示すように、それぞれの領域内で磁化方向をタンジェンシャル方向Ｔｚのいずれか一方に向けて着磁された第７乃至第１２の分割領域８４ａ〜８４ｆを有している。
【０１８８】
すなわち、図２８に示すように、第２のマグネット８４の第７の分割領域８４ａは、略矩形状に形成され、そのレンズホルダ２側の面がＮ極となるように着磁されている。また、第７の分割領域８４ａは、第１のマグネット１３の第１の分割領域１３ａに対向する領域である。
【０１８９】
第８及び第９の分割領域８４ｂ，８４ｃは、第７の分割領域８４ａのトラッキング方向Ｔの両側に隣接して配置され、第７の分割領域８４ａと反対方向に着磁され、すなわち、そのレンズホルダ２側の面がＳ極となるように着磁されている。
【０１９０】
第１０の分割領域８４ｄは、第７の分割領域８４ａのフォーカス方向Ｆに隣接して配置され、第７の分割領域８４ａと反対方向に着磁され、すなわち、そのレンズホルダ２側の面がＳ極となるように着磁されている。また、第１０の分割領域８４ｄは、そのトラッキング方向の幅ｙ４が、第７の分割領域８４ａのトラッキング方向の幅ｙ１に比べて小さくなるように形成されている。
【０１９１】
尚、ここでは、第１０の分割領域８４ｄの方が、第７の分割領域８４ａに比べてトラッキング方向の幅が小さくなるように形成されるように構成したが、これに限られるものではなく、トラッキング方向の幅が大きくなるように形成してもよく、すなわち、第７の分割領域８４ａのトラッキング方向の幅が、第１０の分割領域８４ｄのトラッキング方向の幅と異なるように形成されていればよい。
【０１９２】
第１１及び第１２の分割領域８４ｅ，８４ｆは、第１０の分割領域８４ｄのトラッキング方向Ｔの両側に隣接して配置され、第１０の分割領域８４ｄと反対方向に着磁され、すなわち、そのレンズホルダ２側の面がＮ極となるように着磁されている。
【０１９３】
尚、上述した第２のマグネット８４の第７乃至第１２の分割領域８４ａ〜８４ｆのＳ極、Ｎ極は、逆であってもよい。
【０１９４】
第２のマグネット８４の第７の分割領域８４ａのトラッキング方向の幅と、第１０の分割領域８４ｄのトラッキング方向の幅とが異なるように形成されていることで、レンズホルダ２がフォーカス方向に駆動変位された際にも、第２のマグネット８４の各分割領域８４ａ〜８４ｆにより形成される磁界のトラッキングコイル１１ｃ，１１ｄに対しての影響の変化を抑えることができ、これらの各コイル１１ｃ，１１ｄによるトラッキング方向Ｔの駆動力が変動してしまうことを防止することができる。
【０１９５】
上述のように、第１０の分割領域８４ｄのトラッキング方向の幅ｙ４が、これに隣接する第７の分割領域８４ａのトラッキング方向の幅ｙ１に比べて小さくなるように形成された第２のマグネット８４を備える光ピックアップ１は、レンズホルダ２がフォーカス方向Ｆに駆動変位された場合に、トラッキングコイル１１ｃ，１１ｄに対して形成される磁界の強さの変化を低減し、特にローリングＸｒｏ、ヨーイングＺｒｏ等の不要共振を低減させることができる。そして、光ピックアップ１は、不要共振による伝達関数の位相まわり、そしてサーボ応答の劣化等を防止することができ、光ディスクに対して情報信号の良好な記録及び／又は再生を行うことを可能とする。
【０１９６】
また、第２のマグネット８４を備えた光ピックアップは、上述した第１及び第２のマグネット１３，１４を備える場合と同様に、第７乃至第１２の分割領域８４ａ〜８４ｆを有する第２のマグネット８４と、上述のように配置される各コイル１１ａ〜１１ｄ，１２ａ，１２ｂとにより、小型化、薄型化を実現して最適なフォーカス方向Ｆ及びトラッキング方向Ｔの駆動力を発生させることができるとともに、不要共振を低減し、良好なサーボ特性を得ることができる。
【０１９７】
尚、上述のような第７乃至第１２の分割領域８４ａ〜８４ｆを有する第２のマグネット８４においても、上述の図８乃至図１０に示すマグネット１４と同様に、他方のマグネットに対向する内面側のフォーカス方向Ｆの両端にテーパ部を設けるように構成してもよい。
【０１９８】
また、上述のような第７乃至第１２の分割領域８４ａ〜８４ｆを有する第２のマグネット８４においても、上述の図２１に示すマグネット１４Ｆと同様に、他方のマグネットに対向する内面側のトラッキング方向Ｔの両端にテーパ部を設けるように構成してもよい。
【０１９９】
また、第２のマグネット８４においても、上述した図２３、図２４及び図２６で説明したマグネット６３，６４，７４と同様に、第７の分割領域８４ａのフォーカス方向Ｆの一端側又は他端側の部分のトラッキング方向Ｔの寸法が徐々に拡大又は縮小されるように形成してもよい。
【０２００】
尚、光ピックアップ１を構成する第１及び第２のマグネットは、上述したマグネット１３，１４，１３Ａ，１４Ａ，１３Ｂ〜１３Ｅ，１４Ｂ〜１４Ｅ，１３Ｆ，１４Ｆ，６３，６４，６３Ａ，７４，７４Ａ，８４を選択的に組み合わせたものを用いてもよい。すなわち、例えばマグネット６３，６４，７４，８４は、それぞれ上述の固定部側、可動部側の配置に限られるものではなく、いずれの側に用いてもよい。
【０２０１】
尚、上述では、第１及び第２のマグネットの内面側がそれぞれに対向するレンズホルダ２の側面に対して略平行となるように配置されたが、これをトラッキング方向Ｔを軸とした軸回り方向に傾斜させることでさらに不要共振の発生を抑えることが可能となる。
【０２０２】
次に、図２９に示すように、上述した第１及び第２のマグネット１３，１４Ａの少なくとも一方のマグネット１４Ａをレンズホルダ２に対向する内面が対向するレンズホルダ２の側面に対して平行な状態から傾斜して配置されるように構成した光ピックアップ９０について説明する。尚、以下の説明において、第２のマグネット１４に換えて第２のマグネット１４Ａを用いること、この第２のマグネット１４Ａの配置及びこれを配置するためのヨーク片以外の構成は、上述した光ピックアップ１と共通であり、共通する部分については、共通の符号を付すとともに詳細な説明は省略する。また、上述した第１のマグネットを傾斜する場合についても同様であるので、以下説明は省略する。尚、ここでは、第１及び第２のマグネットとして、マグネット１３，１４Ａを用いて説明するが、これに限られるものではなく、上述したマグネットのいずれかを選択的に組み合わせたものを用いてもよい。
【０２０３】
本発明を適用した光ピックアップ９０は、光ピックアップ１と同様に、複数の対物レンズ２１，２２を支持するレンズホルダ２と、レンズホルダ２からタンジェンシャル方向Ｔｚに間隔をおいて配置され取り付け基台９に取り付けられた支持体３とを備える。
【０２０４】
光ピックアップ９０のレンズホルダ２のタンジェンシャル方向Ｔｚに対向する側面には、トラッキング方向Ｔに駆動力を発生させる第１乃至第４のトラッキングコイル１１ａ〜１１ｄと、フォーカス方向Ｆに駆動力を発生させる第１及び第２のフォーカスコイル１２ａ，１２ｂとが取り付けられている。
【０２０５】
また、光ピックアップ９０は、上述した光ピックアップ１と同様に、ヨーク１８が配設されている。このヨーク１８の一対のヨーク片１８ａ，１８ｂ２の相対向する面には、第１及び第２のマグネット１３，１４Ａが取り付けられている。ここで、第１のマグネット１３は、レンズホルダ２の先端側に配置され、第２のマグネット１４Ａは、支持体３側に配置されている。また、ヨーク１８は、後述するようにヨーク片１８ｂ２が傾斜して配置されていることを除いて、上述のヨーク１８と同様の構成とされている。
【０２０６】
この一対のヨーク片１８ａ，１８ｂ２は、互いに対向する面が平行な状態から傾斜して配置されている。すなわち、支持部側に配置される一方のヨーク片１８ｂ２は、レンズホルダ２の対向する側面及び他方のヨーク片１８ａに対して、上側、すなわち、フォーカス方向Ｆの対物レンズ２１，２２に近接する側がレンズホルダ２から離間する方向に傾斜して配置されている。そして、このヨーク片１８ｂ２に取り付けられる第２のマグネット１４Ａは、このヨーク片１８ｂ２と同じ方向に傾斜して配置され、フォーカス方向Ｆの対物レンズ２１，２２に近接する側がレンズホルダ２に近接する方向に傾斜して配置されている。このように、第１及び第２のマグネット１３，１４Ａの互いに対向する内面が平行な状態から、フォーカス方向の対物レンズ２１，２２に近接する側の間隔が広くなるように、傾斜して配置されている。
【０２０７】
第２のマグネット１４Ａは、上述の図７を用いて説明したように、レンズホルダ２に対してタンジェンシャル方向Ｔｚに対向してレンズホルダ２に対して平行な状態、すなわち、レンズホルダ２の対向する側面及びこの側面に配置される各コイルと平行な状態で、それぞれの領域内で磁化方向をタンジェンシャル方向Ｔｚのいずれか一方に向けて着磁された第１１乃至第１６の分割領域１４ａ〜１４ｆを有しており、ヨーク片１８ｂ２に配置されることにより、レンズホルダ２の対向する側面と平行な状態から傾斜して配置されている。第１のマグネット１３自体の着磁パターンは、上述と同様である。
【０２０８】
光ピックアップ９０の第２のマグネット１４Ａは、フォーカス方向Ｆの対物レンズ２１，２２に近い側のレンズホルダ２の側面及びこの側面に配置される各コイル１１ｃ，１１ｄ，１２ｂとの間隔が離間する方向に傾斜して配置されて構成したので、レンズホルダ２がフォーカス方向Ｆに駆動されレンズホルダ２が図２９中矢印ｄ方向に円弧状に変位されたときに、支持部側に配置される第２のマグネット１４Ａと、このマグネット１４Ａと対向するレンズホルダ２の側面に設けられたトラッキングコイル１１ｃ，１１ｄ及びフォーカスコイル１２ｂとの間の間隔が狭くなることを防止でき、すなわち、これらの各コイル１１ｃ，１１ｄ，１２ｂに対して形成される磁界の強さの変化を低減して、これらの各コイルの駆動力の変動を抑えて、駆動力のバランスを適正な状態に保つことができ、これらの駆動力の変動により、特に発生しやすいピッチングＹｒｏ、ヨーイングＺｒｏ等の揺動動作を低減して、各方向の揺動動作による不要共振の発生を抑えてサーボ特性の劣化を抑えることを可能とする。
【０２０９】
本発明を適用した光ピックアップ９０は、上述した光ピックアップ１と同様に、第１乃至第６の分割領域を有する第１のマグネット１３と、第７乃至第１２の分割領域を有する第２のマグネット１４Ａと、上述したように第１及び第２のマグネット１３，１４Ａの所定の分割領域に対応した位置に配置されるトラッキングコイル及びフォーカスコイルとを構成したことにより、すなわち、フォーカスコイル１２ａ，１２ｂがレンズホルダ２の対向する側面に１つずつ設けられ、トラッキングコイル１１ａ〜１１ｄがこのフォーカスコイル１２ａ，１２ｂのトラッキング方向Ｔの両側に一対ずつ設けられ、これらの各コイルに対して六極着磁された第１及び第２のマグネット１３，１４Ａが所望の磁界を形成することにより、フォーカスコイル１２ａ，１２ｂとトラッキングコイル１１ａ〜１１ｄとをフォーカス方向Ｆにおいて一部重複した位置に配置することを可能として、このフォーカスコイル及びトラッキングコイルを配置するためのレンズホルダ２のフォーカス方向Ｆの寸法を縮小することで、ピックアップ全体の薄型化及び小型化を実現するとともに、レンズホルダ２がフォーカス方向Ｆに駆動された場合にもトラッキングコイル１１ａ〜１１ｄに対する磁界の強さの変化を低減し、特にローリングＸｒｏ等の不要共振を低減させることができる。そして、光ピックアップ９０は、不要共振による伝達関数の位相まわり、そしてサーボ応答の劣化等を防止することができ、光ディスクに対して情報信号の良好な記録及び／又は再生を行うことを可能とする。
【０２１０】
また、本発明を適用した光ピックアップ９０は、レンズホルダ２の対向する側面及びこの側面に配置される各コイルに対して少なくとも一方のマグネット１４Ａをトラッキング方向Ｔを軸とした軸回り方向に傾斜して配置するよう構成したことにより、レンズホルダ２がフォーカス方向Ｆに駆動変位された場合に、フォーカスコイル及びトラッキングコイルに対して形成される磁界の強さの変化を低減し、特にピッチングＹｒｏ、ヨーイングＺｒｏ等の不要共振を低減させることができる。そして、光ピックアップ９０は、不要共振による伝達関数の位相まわり、そしてサーボ応答の劣化等を防止することができ、光ディスクに対して情報信号の良好な記録及び／又は再生を行うことを可能とする。
【０２１１】
尚、上述の光ピックアップ９０では、テーパ部を有さないマグネット１３，１４Ａを用いるように構成したが、上述したように、対向する内面側のフォーカス方向及び／又はトラッキング方向の両端にテーパ部を有するマグネットを用いてもよい。また、マグネット１３，１４Ａと異なる着磁パターンを有するマグネットとして、例えば、マグネット６３，６４，６３Ａ，７４，７４Ａ，８４を用いるように構成してもよい。
【０２１２】
尚、上述の光ピックアップ９０では、第１のマグネット１３は、レンズホルダ２の対向する側面及びこの側面に配置される各コイルと平行な状態で、配置されているが、第１のマグネット１３と同様に、傾斜して配置してもよい。すなわち、ヨーク片１８ａが、レンズホルダ２の対向する側面に対して、上側、すなわち、フォーカス方向Ｆの対物レンズ２１，２２に近接する側がレンズホルダ２に近接する方向に傾斜して配置されるように構成してもよい。そして、このヨーク片１８ａに取り付けられる第１のマグネット１３が、このヨーク片１８ａと同じ方向に傾斜して配置され、フォーカス方向Ｆの対物レンズ２１，２２に近接する側がレンズホルダ２から離間する方向に傾斜して配置される。
【０２１３】
第２のマグネット１４Ａを傾斜する構成に加えて、ヨーク片１８ａ及び第１のマグネット１３をフォーカス方向Ｆの上側がレンズホルダ２に近接する方向に傾斜して配置するように構成することにより、フォーカス方向Ｆに駆動され、レンズホルダ２が円弧状に駆動変位された場合にも、可動部側に配置される第１のマグネット１３と、このマグネット１３と対向するレンズホルダ２の側面に設けられたトラッキングコイル１１ａ、１１ｂ及びフォーカスコイル１２ａとの間の間隔が広くなることを防止でき、すなわち、これらの各コイル１１ａ、１１ｂ、１２ａに対して形成される磁界の強さの変化を低減して、これらの各コイルの駆動力の変動を抑えて、駆動力のバランスを適正な状態に保つことができ、これらの駆動力の変動により、特に発生しやすいピッチングＹｒｏ、ヨーイングＺｒｏ等の揺動動作を低減して、各方向の揺動動作による不要共振の発生を抑えてサーボ特性の劣化を抑えることを可能とする。
【０２１４】
また、本発明を適用した光ディスク装置１０１は、上述した光ピックアップを備えることにより、所定の着磁パターンとされた分割領域を有し所謂六極着磁された第１及び第２のマグネットと、このマグネットの所定の分割領域に対応した位置に配置され、フォーカス方向及びトラッキング方向に駆動力を発生させるコイルとを構成することにより、フォーカス方向の寸法を縮小することで、ピックアップ全体の薄型化及び小型化を実現するとともに、レンズホルダ２がフォーカス方向に駆動された場合にもトラッキングコイルに対する磁界の強さの変化を低減し、特にローリングＸｒｏ等の不要共振を低減させることにより、良好なサーボ特性を得ることができ、光ディスクに対して情報信号の良好な記録及び／又は再生を行うことを可能とする。
【図面の簡単な説明】
【０２１５】
【図１】本発明を適用した光ピックアップを用いた光ディスク装置のブロック回路図である。
【図２】本発明を適用した光ピックアップの斜視図である。
【図３】本発明を適用した光ピックアップの背面図である。
【図４】本発明を適用した光ピックアップの平面図である。
【図５】本発明を適用した光ピックアップを構成するレンズホルダ及びこれを支持する支持部の支持体を示す斜視図である。
【図６】本発明を適用した光ピックアップを構成するレンズホルダ、支持体及びマグネットを示す斜視図である。
【図７】本発明を適用した光ピックアップを構成する可動部側に配置される第１のマグネットのレンズホルダ側からの着磁パターンを示す平面図である。
【図８】本発明を適用した光ピックアップを構成する支持部側に配置される第２のマグネットのレンズホルダ側からの着磁パターンを示す平面図である。
【図９】本発明を適用した光ピックアップを構成するレンズホルダ、支持体及びマグネットを示す側面図である。
【図１０】本発明を適用した光ピックアップを構成する第１及び第２のマグネットの斜視図である。
【図１１】第１及び第２のマグネットの互いに対向する内面側のフォーカス方向の両端にテーパ部を設けた例を示す側面図である。
【図１２】図１１に示す例の第１及び第２のマグネットの斜視図である。
【図１３】第１及び第２のマグネットにテーパ部を設けない場合の例を示す側面図である。
【図１４】第１及び第２のマグネットに形成されるテーパの形状及びテーパに代えて形成される段部の形状を示す図であり、（ａ）は、テーパ角の異なるテーパ部を設けた例の側面図であり、（ｂ）は、上側テーパと下側テーパ部に加えて第３及び第４のテーパ部からなる切り込み凹部を設けた例を示す側面図であり、（ｃ）は、曲面状に形成されるテーパ部を設けた例を示す側面図であり、（ｄ）は、テーパに代えて段部を形成した例を示す側面図である。
【図１５】本発明を適用した光ピックアップを構成する傾動支持部材及び駆動手段の分解斜視図である。
【図１６】本発明を適用した光ピックアップを構成する傾動支持部材の側面図である。
【図１７】本発明を適用した光ピックアップを構成する傾動支持部材の駆動手段により力が加わったときに弾性変形した状態を示す側面図である。
【図１８】本発明を適用した光ピックアップの支持体を傾動させる制御系を示すブロック回路図である。
【図１９】レンズホルダがフォーカス方向の光ディスクから離間する側に変位されたときのトラッキングコイルと第１のマグネットとの関係を示す平面図である。
【図２０】本発明を適用した光ピックアップ及び比較例の光ピックアップのフォーカス方向のストローク量に対するタンジェンシャル方向Ｔｚを軸とした軸回り方向のモーメントのトルクの変動量を示す図であり、六極着磁されたマグネットを用いた本発明を適用した光ピックアップと、二極着磁されたマグネットを用いた比較例の光ピックアップとのトルクの変動を示す図である。
【図２１】第１及び第２のマグネットの互いに対向する内面側のトラッキング方向の両端にテーパ部を設けた例を示す光ピックアップの平面図である。
【図２２】着磁パターンの異なる第１及び第２のマグネットを用いた例の光ピックアップを構成するレンズホルダ、支持体及びマグネットを示す側面図である。
【図２３】図２２に示す第１のマグネットのレンズホルダ側からの着磁パターンを示す平面図である。
【図２４】図２２に示す第２のマグネットのレンズホルダ側からの着磁パターンを示す平面図である。
【図２５】第１のマグネットの他の例を示す図であり、（ａ）は、このマグネットのトラッキング方向の側面を示す側面図であり、（ｂ）は、このマグネットのレンズホルダ側からの着磁パターンを示す平面図である。
【図２６】第２のマグネットの他の例のレンズホルダ側からの着磁パターンを示す平面図である。
【図２７】第２のマグネットのさらに他の例を示す図であり、（ａ）は、このマグネットのレンズホルダ側からの着磁パターンを示す平面図であり、（ｂ）は、このマグネットのトラッキング方向の側面を示す側面図である。
【図２８】第２のマグネットのさらに他の例のレンズホルダ側からの着磁パターンを示す平面図である。
【図２９】本発明を適用した光ピックアップのマグネットをレンズホルダの対向する側面に対して傾斜した例を示す側面図である。
【図３０】従来の光ピックアップを示す側面図である。
【図３１】従来の光ピックアップを構成するマグネットの着磁パターン及び各コイルとの関係を示す平面図であり、（ａ）は、フォーカス方向に変位がない場合の平面図であり、（ｂ）は、レンズホルダがフォーカス方向に変位した場合の平面図である。
【符号の説明】
【０２１６】
１  光ピックアップ、  ２  レンズホルダ、  ３  支持体、  ４  支持部材、  ５  駆動手段、  ６ａ〜６ｄ  支持アーム、  ８  ベース、  ９  取り付け基台、  １１ａ〜１１ｄ  トラッキングコイル、  １２ａ，１２ｂ  フォーカスコイル、  １３  第１のマグネット、  １３ａ〜１３ｆ  第１乃至第６の分割領域、  １４  第２のマグネット、  １４ａ〜１４ｆ  第７乃至第１２の分割領域、  １８  ヨーク、  ２１  第１の対物レンズ、  ２２  第２の対物レンズ  、  １０１  光ディスク装置、  １０２  光ディスク、  １０３  スピンドルモータ
【図１】
2007149310.tif 000003
【図２】
2007149310.tif 000004
【図３】
2007149310.tif 000005
【図４】
2007149310.tif 000006
【図５】
2007149310.tif 000007
【図６】
2007149310.tif 000008
【図７】
2007149310.tif 000009
【図８】
2007149310.tif 000010
【図９】
2007149310.tif 000011
【図１０】
2007149310.tif 000012
【図１１】
2007149310.tif 000013
【図１２】
2007149310.tif 000014
【図１３】
2007149310.tif 000015
【図１４】
2007149310.tif 000016
【図１５】
2007149310.tif 000017
【図１６】
2007149310.tif 000018
【図１７】
2007149310.tif 000019
【図１８】
2007149310.tif 000020
【図１９】
2007149310.tif 000021
【図２０】
2007149310.tif 000022
【図２１】
2007149310.tif 000023
【図２２】
2007149310.tif 000024
【図２３】
2007149310.tif 000025
【図２４】
2007149310.tif 000026
【図２５】
2007149310.tif 000027
【図２６】
2007149310.tif 000028
【図２７】
2007149310.tif 000029
【図２８】
2007149310.tif 000030
【図２９】
2007149310.tif 000031
【図３０】
2007149310.tif 000032
【図３１】
2007149310.tif 000033